(57)【要約】【課題】　払い出し制御装置のユニット間でのパチンコ球の受渡しを円滑化する。【解決手段】　上下に隣接して配置される上側ユニット２０と下側ユニット３０のうち、上側ユニット２０の下部の内部流路出口の流路壁と、下側ユニット３０の内部流路入口の流路壁には、上側ユニット２０から下側ユニット３０へ送り込まれる球の流れを円滑化する誘導部をそれぞれ形成し、上側ユニット２０の誘導部は、その内部流路出口２２ｅの流路壁２２の厚さが下方へ向けて漸減する傾斜状の面取り部６６によって構成され、下側ユニット３０の誘導部は、その内部流路入口８７の流路壁３２の厚さが上方へ向けて漸減する傾斜状の面取り部３７によって構成されている。【選択図】　　　図１１
2004065996.tif 000002
【特許請求の範囲】
【請求項１】
　パチンコ球が通過する内部流路がそれぞれ形成された複数個のユニットのうちの上側ユニットの下方に隣接して設置された下側ユニットの内部流路入口の流路壁には切込み幅がパチンコ球の流動方向へ漸減するように切込まれて上側ユニットから下側ユニットへ送り込まれるパチンコ球の流動方向を規正するカット部を形成したことを特徴とするパチンコ機におけるパチンコ球の誘導制御装置。
【発明の詳細な説明】
【技術分野】
【０００１】
　この発明はパチンコ機におけるパチンコ球の誘導制御装置に関する。
【背景技術】
【０００２】
　従来技術としては例えば特開平４−１９７３７３号公報に記載されたものがある。
【特許文献１】特開平４−１９７３７３号公報
【発明の開示】
【発明が解決しようとする課題】
【０００３】
　本発明はパチンコ球が通過する複数個のユニットにおいて、ユニット間でのパチンコ球の受渡しを円滑化することを課題とするものである。
【課題を解決するための手段】
【０００４】
　本発明のパチンコ機におけるパチンコ球の誘導制御装置はパチンコ球が通過する内部流路がそれぞれ形成された複数個のユニットのうちの上側ユニットの下方に隣接して設置された下側ユニットの内部流路入口の流路壁には切込み幅がパチンコ球の流動方向へ漸減するように切込まれて上側ユニットから下側ユニットへ送り込まれるパチンコ球の流動方向を規正するカット部を形成した構成を有する。
【０００５】
［作用］
　複数個のユニットのうちの上側ユニットの内部流路内から下側ユニットの内部流路内へ送り込まれたパチンコ球のうち、適正位置からずれて送り込まれたパチンコ球を、下側ユニットの内部流路入口の流路壁に切込み幅がパチンコ球の流動方向へ漸減するように形成したカット部によって誘導してそのパチンコ球の流動方向を規正する。
【発明の効果】
【０００６】
　本発明は前記したように構成してあるので、上側ユニットから下側ユニットへ送り込まれたパチンコ球のうち、適正方向からずれて送り込まれたパチンコ球の流動方向を、前記カット部によって修正して規正し、そのパチンコ球を下側ユニットの内部流路入口内へ的確かつ円滑に導入することができ、上側ユニットの内部流路出口の流路壁と、下側ユニットの内部流路入口の流路壁との間に段差があっても、上側ユニットから下側ユニットへのパチンコ球の送り込みを円滑化してパチンコ球の送り込み時のパチンコ球の相互干渉や球噛みおよび球詰りを無くすことができる。
【発明を実施するための最良の形態】
【０００７】
　次に、本発明を実施するための最良の形態について、実施例に従って説明する。
【実施例】
【０００８】
　次に、本発明が払い出し制御装置に適用された１実施例を図面にしたがって説明する。但し、パチンコ機を正面から見たときの前後方向を前後方向とし、左右方向を内外方向として以下説明する。
　パチンコ機の本体枠Ｈの片側の縦枠部の裏側に取外し可能に組付けられてタンクレールの先端部付近の下方に設置される払い出し制御装置Ａにおいて、透明合成樹脂材によって成形された収納ケース１は縦長状で後方開放の方形箱形状に形成され、この収納ケース１に結合された部材および各ユニットとともに図１、図２０に示す本体枠Ｈに着脱可能に装着される。
【０００９】
　収納ケース１には内外１対の側壁板１ａと、水平な上壁板１ｂおよび下壁板１ｂと、各壁板１ａ，１ｂの前端縁に連接された垂直な前壁板１ｃとが形成されている。
【００１０】
　収納ケース１の内側の側壁板１ａの上端には図３に示すように球タンク内から送り出されてタンクレール上を前後２列となって払い出し制御装置Ａ側へ流下したパチンコ球が導入される球入口２が開口され、内側の側壁板１ａの上下方向中央部の若干下方には賞品球若しくは貸し球を上皿へ向けて誘導する賞品球流路に連通された球出口３が開口され、内側の側壁板１ａの下部にはパチンコ球をパチンコ機外へ排出する球排出流路に連通された球抜き口４が開口されている。
【００１１】
　収納ケース１の前壁板１ｃの内壁面の上部にはタンクレールから前後２列で送られるパチンコ球のうち、前列のパチンコ球を導く通路を形成する壁が設けられ、前壁板１ｃには上端縁が球入口２の上側開口縁に連接されて上端部付近が外方へ先下り状に傾斜し、中央部付近が内方へ若干凸曲して下部が垂直状に形成された第１前側通路壁１ｄと、内端縁が球入口２の下側開口縁に連接され、外方へ先下り状に傾斜した状態で第１前側通路壁１ｄの上端部付近の下方に形成された第２前側通路壁１ｅと、この第２前側通路壁１ｅの外端縁の下方に間隙を隔ててほぼ垂直状に形成された第３前側通路壁１ｆの各前端縁がそれぞれ連接されている。
【００１２】
　各通路壁１ｄ，１ｅ，１ｆは前列のパチンコ球の誘導が可能な奥行で後方へ突出され、第１前側通路壁１ａと、第２、第３前側通路壁１ｅ，１ｆとの間には前後２列となって球入口２へ導入されたパチンコ球のうちの前列のパチンコ球をタンクレールの延長方向へ誘導してから下方へ誘導する前補給流路５が形成されている。
【００１３】
　収納ケース１の前壁板１ｃの内壁面の中央部付近には両側壁板１ａ間に水平状に設置されて収納ケース１内を上下２室に区画する仕切り壁１ｇの前端縁が連接され、この仕切り壁１ｇの内方には前後２列のパチンコ球の通過が可能な球通し口８が開設されている。
【００１４】
　収納ケース１の前壁板１ｃの内壁面の中央部付近および下部には上端縁が仕切り壁１ｇの内端縁付近の下方に隣接されて下端縁が球抜き口４の下側開口縁の前部に連接され、外方へ凸円弧状に湾曲した湾曲部と、垂直部と、傾斜部と、垂直部と、傾斜部とが上から順に形成された第４前側通路壁１ｉの前端縁と、上端縁が球通し口８の下方に配設されて下端縁が球出口３の下側開口縁の前部に連接され、垂直部と傾斜部とが形成された第５前側通路壁１ｊの前端縁とが連接されている。
【００１５】
　両前側通路壁１ｉ，１ｊは前列のパチンコ球の誘導が可能な奥行で後方へ突出され、収納ケース１の内側の側壁板１ａと第５前側通路壁１ｊとの間には球通し口８の前部を通り抜けたパチンコ球を球出口３へ誘導する前払い出し流路６が形成され、第４前側通路壁１ｉと第５前側通路壁１ｊとの間には球通し口８の前部を通り抜けたパチンコ球を球抜き口４へ誘導する前球抜き流路７が形成されている。
【００１６】
　前壁板１ｃの下端には遊技盤面の各入賞口に入賞したセーフ球が導入される導入口と、収納ケース１内へ１時的に導入されたセーフ球をパチンコ機外へ排出する排出口とを兼ねたセーフ球出入口９が傾斜状に開口されている。このセーフ球出入口９は払い出し制御装置Ａ外に設置された図示しない通路壁によって上下に仕切られて上部が入口部で下部が出口部となるように形成されている。
【００１７】
　収納ケース１の上部には図２に示すようにタンクレールからパチンコ球を受入れて下方へ誘導しかつ遊技者に払い出されるパチンコ球を貯留する球補給ユニット１０が着脱可能に結合されて収納されている。
【００１８】
　球補給ユニット１０のユニットベース１１は不透明の合成樹脂材で成形され、このユニットベース１１の後端には図１、図２に示すように収納ケース１の開口部の上部を覆蓋する蓋板１１ａが垂直状に形成されている。
【００１９】
　ユニットベース１１の蓋板１１ａの前面には図４、図５に示すように収納ケース１の第１前側通路壁１ｄの後方に隣設されて第１前側通路壁１ｄに突合わせ状に対置された第１後側通路壁１１ｂと、第２前側通路壁１ｅの後方に隣設されて第２前側通路壁１ｅに突合わせ状に対置された第２後側通路壁１１ｃと、第３前側通路壁１ｆの後方に隣設されて第３前側通路壁１ｆに突合わせ状に対置された第３後側通路壁１１ｄとの各後端縁がそれぞれ連接されるとともに、蓋板１１ａの前面には第１後側通路壁１１ｂと第２、第３後側通路壁１１ｃ，１１ｄとの中間部に配設されて奥行が各後側通路壁１１ｂ，１１ｃ，１１ｄの奥行より短縮されたガイド壁１１ｇが連接されている。
【００２０】
　第１後側通路壁１１ｂと、第２、第３後側通路壁１１ｃ，１１ｄとの間にはタンクレール上から球入口２内へ導入された前後２列のパチンコ球のうちの後列の各パチンコ球をタンクレールの延長方向へ誘導してから下方へ誘導する後補給流路１３が前補給流路５の後側に隣接して形成されている。
【００２１】
　前補給流路５と後補給流路１３とは収納ケース１の各前通路壁１ｄ，１ｅ，１ｆと、ユニットベース１１の各後通路壁１１ｂ，１１ｃ，１１ｄとの間に挟み込まれた状態で垂立され、ステンレス製で導電性を有し、前後補給流路５，１３内を帯電状態で流下するパチンコ球の静電気を除去する機能を有する帯電防止用の除電板１５によって仕切られている。この除電板１５はリード線１９およびこのリード線１９に接続されたコネクタ端子を通じてアースされ、後記払い出し制御基板７９を静電気から防護する目的で設置されている。
【００２２】
　除電板１５の下端の左右方向中央部には正面形状がほぼ逆Ｖ形状で深さが上方へ漸減する誘導のＶカット部１６が後補給流路１３内へ若干突入された状態で曲げ起し状に形成されている。
【００２３】
　蓋板１１ａの前側には蓋板１１ａの上部に挿着されて前方へ水平状に延出された支軸１８によってそれぞれ内外方向への搖動可能に支持されて前後補給流路５，１３内の球切れを検出する前後１対の球切れ検出片１４が設置されている。
【００２４】
　両球切れ検出片１４の下端には内方へ突出された押圧部１４ａが形成されている。球切れ検出片１４が搖動すると、その下端縁がそれぞれ前後補給流路５，１３の内外へ出没する。
【００２５】
　両補給流路５，１３内に所定数以上のパチンコ球が貯留されている場合には両球切れ検出片１４がパチンコ球によって押動されてそれぞれ内方へ搖動し、両補給流路５，１３内の一方若しくは両方に貯留されたパチンコ球数が不足している場合には一方の球切れ検出片１４若しくは両球切れ検出片１４が後記球切れ検出スイッチ１７の触動片１７ａによって押圧されて外方へ搖動する。
【００２６】
　ユニットベース１１の蓋板１１ａの前面の内端部には図６に示すように両球切れ検出片１４の内方で前方へ水平状に突出された上下１対の挟持片１１ｅと、この両挟持片１１ｅ間に設置された上下１対のスイッチ支持片１１ｆとが連接され、両スイッチ支持片１１ｆの前端面には前方へ若干突出されたピン状の突起６１がそれぞれ形成されている。
【００２７】
　蓋板１１ａの前側には後記スイッチホルダ６０を介して前後に離隔して並行状態で両挟持片１１ｅ間に挟み込まれた前後１対の球切れ検出スイッチ１７が両球切れ検出片１４にそれぞれ対向して設置されている。
【００２８】
　両球切れ検出スイッチ１７間にはこの両球切れ検出スイッチ１７間の間隙の中央部に垂立された方形板状の仕切り板６０ａと、この仕切り板６０ａの両側面の上下部にそれぞれ突設された左右各１対の突片６０ｂと、この突片６０ｂの外端面にそれぞれ突設されたピン状の突起６０ｃとを有する合成樹脂製のスイッチホルダ６０が挟み込まれている。
【００２９】
　両球切れ検出スイッチ１７の本体部には上下１対の貫通孔１７ｂがそれぞれ貫設され、両球切れ検出スイッチ１７は、両スイッチ支持片１１ｆの突起６１が前側の球切れ検出スイッチ１７の両貫通孔１７ｂ内にそれぞれ挿入され、スイッチホルダ６０の各突起６０ｃが両球切れ検出スイッチ１７の各貫通孔１７ｂ内にそれぞれ挿入された状態でユニットベース１１に取付けられている。
【００３０】
　前側の球切れ検出スイッチ１７は収納ケース１の前壁板１ｃとスイッチホルダ６０との間に挟持され、後側の球切れ検出スイッチ１７はスイッチホルダ６０と蓋板１１ａとの間に挟持され、両球切れ検出スイッチ１７はビスを使用せずに組付けられているので、両球切れ検出スイッチ１７の組付け手数を軽減することができる。
【００３１】
　ユニットベース１１の蓋板１１ａには球切れ検出片１４の押圧部１４ａと球切れ検出スイッチ１７の触動片１７ａとの作動状態を球補給ユニット１０の外部から透視するための覗き窓６２が丸孔状に開口されている。この覗き窓６２によって球切れ検出スイッチ１７の作動状態が正常か異常かを明確に視認することができる。
【００３２】
　両補給流路５，１３のうちの一方でパチンコ球が欠乏して一方の球切れ検出片１４が外方へ搖動すると、その球切れ検出片１４に対向する球切れ検出スイッチ１７の触動片１７ａが解放されてその球切れ検出スイッチ１７がＯＮとなり、球切れ検出信号が発信される。
【００３３】
　両補給流路５，１３内にそれぞれパチンコ球が補給されて充満すると、両球切れ検出片１４が共に内方へ搖動して両球切れ検出スイッチ１７の触動片１７ａを押圧し、両球切れ検出スイッチ１７がＯＦＦとなる。球切れ検出スイッチ１７は後記払い出しモータ２５や払い出し起動モータ５５を電源断状態にする信号を発信したり、貸し球禁止、球抜き禁止を含む払い出し禁止信号を発信する。
【００３４】
　収納ケース１内の中央部付近には図２に示すように収納ケース１に仕切り壁１ｇ上で分離可能に結合されて球補給ユニット１０の下側に隣接して設置された球払い出しユニット２０が収納されている。
【００３５】
　球払い出しユニット２０のユニットベース２１は透明合成樹脂材で形成され、このユニットベース２１は図８に示すように収納ケース１の前壁板１ｃに沿って垂直状に設置されたセット板２２と、このセット板２２の後側に垂直状に設置されたカバー板２３と、セット板２２とカバー板２３との間に挟み込まれた中板２４とが分離可能に結合されて形成されている。
【００３６】
　ユニットベース２１のセット板２２の前端には図９〜図１４に示すように収納ケース１の前壁板１ｃに密接された前通路壁２２ａが垂直状に形成され、セット板２２の上端には前補給流路５から送り込まれたパチンコ球を受入れる前導入口２２ｂが開設されている。
【００３７】
　セット板２２の上部で前導入口２２ｂの下方にはパチンコ球の落下衝撃が吸収されるようにほぼ円弧状に湾曲されて前導入口２２ｂに落入したパチンコ球を一旦下外方へ誘導してから下内方へ誘導する前誘導流路２２ｃが形成されている。
【００３８】
　セット板２２の中央部付近には円弧状に湾曲した路壁面を有し、前誘導流路２２ｃの出口部６３を通り抜けたパチンコ球が送り込まれる前凹陥部２２ｄが凹設され、セット板２２の下端には前凹陥部２２ｄを通り抜けたパチンコ球をセット板２２内からその下方へ送り出す前送り出し口２２ｅが収納ケース１の球通し口８に対向して開設されている。
【００３９】
　カバー板２３の後端には中板２４の後方にパチンコ球約１個分の間隙を隔てて垂立された後側通路壁２３ａが形成され、カバー板２３の上端には前導入口２２ａの後側に隣設されて後補給流路１３から送り込まれたパチンコ球を受入れる後導入口２３ｂが開設されている。
【００４０】
　カバー板２３の上部で後導入口２３ｂの下方には前誘導流路２２ｃの後側に隣設されてパチンコ球の落下衝撃が吸収されるように曲折され、後導入口２３ｂに落入したパチンコ球を一旦若干下方へ誘導してから下内方へ誘導する後誘導流路２３ｃが形成され、この後誘導流路２３ｃの出口部６４は前誘導流路２２ｃの出口部６３よりパチンコ球約１個分下位に配置されている。前後誘導流路２２ｃ，２３ｃの出口部６３，６４付近は内方に向って先下り状に傾斜した形状に形成されている。
【００４１】
　カバー板２３の中央部付近には前凹陥部２２ｄの後側に隣設されて後誘導流路２３ｃの出口部６４を通り抜けたパチンコ球が送り込まれる後凹陥部２３ｄが凹設され、カバー板２３の下端には前送出し口２２ｅの後側に隣設されて後凹陥部２３ｄを通り抜けたパチンコ球をカバー板２３内からその下方へ送り出す後送り出し口２３ｅが収納ケース１の球通し口８に対向して開設されている。
　前後導入口２２ｂ，２３ｂおよび前後誘導路２２ｃ，２３ｃおよび前後送り出し口２２ｅ，２３ｅはそれぞれ中板２４によってそれぞれ仕切られている。
【００４２】
　前後導入口２２ｂ，２３ｂの壁面、すなわち、セット板２２の前通路壁２２ａの上端部の後面と、カバー板２３の後通路壁２３ａの上端部の前面と、中板２４の上端部の後面とにはそれぞれ厚さが上方へ漸減するように面取りされた上面取り部６５がそれぞれ形成されている。前後導入口２２ｂ，２３ｂを通り抜けるパチンコ球は上面取り部６５によって前後方向へ若干逃避挙動しながら流下し、前後導入口２２ｂ，２３ｂでのパチンコ球の球噛みが防止される。
【００４３】
　前後球送り出し口２２ｅ，２３ｅの壁面、すなわち、セット板２２の前通路壁２２ａの下端部の後面と、カバー板２３の後通路壁２３ａの下端部の前面と、中板２４の下端部の後面とにはそれぞれ厚さが下方へ漸減するように面取りされた下面取り部６６がそれぞれ形成されている。前後送り出し口２２ｅ，２３ｅを通り抜けるパチンコ球は下面取り部６６によって前後方向へ逃避挙動しながら流下してパチンコ球の球噛みが防止される。
【００４４】
　前後壁体２２，２３の前後通路壁２２ａ，２３ａには前後誘導流路２２ｃ，２３ｃ内および前後凹陥部２２ｄ，２３ｄ内に侵入したゴミ等の異物を外部へ取出す目的で図９、図１２に示す取出し窓６７がスリット状に開設されている。
【００４５】
　セット板２２の前凹陥部２２ｄの中心部にはその後方へ横出された支軸２６の前端部が挿着されている。
【００４６】
　カバー板２３の後面には支軸２６の後方に突合わせ状に隣設された出力軸２５ａを有するステッピングモータ型の払い出しモータ２５が、この払い出しモータ２５とカバー板２３との間に金属製の放熱板６８が挟み込まれた状態で放熱板６８とともに取付けられ、放熱板６８は本例ではアルミニルム板をほぼＬ形状に曲折した形状に形成されている。
【００４７】
　払い出しモータ２５はこの払い出しモータ２５と後記払い出し制御基板７９とを接続するリード線束のコネクタが脱着されるコネクタ２５ｂを備え、放熱板６８にはそのリード線束を挿通保持するリード線保持部６８ａが切欠き形成され、このリード線保持部６８ａはリード線束の脱出が阻止されるように入口部の挿通幅を狭くした形状に形成されている。
【００４８】
　払い出しモータ２５が球噛み等の原因によって過熱したときには払い出しモータ２５の熱が放熱板６８を通じて放散されてユニットベース２１への熱の伝導が防止される。また、球払い出しユニット２０の組付け等に際し、球払い出しユニット２０が誤って落下したときなどに放熱板６８によって落下衝撃を受止めてユニットベース２１および払い出しモータ２５を落下衝撃から防護することができる。
【００４９】
　払い出しモータ２５の出力軸２５ａには支軸２６によって回転可能に支持されて前後凹陥部２２ｄ，２３ｄ内に装入され、払い出しモータ２５によって前後方向に沿う水平な回転軸を中心として回転駆動される不透明合成樹脂製の球送り部材２７が結合されている。
【００５０】
　球送り部材２７の前後方向中央部には円盤状で払い出し球数の教示および仕切り壁兼用の回転盤２８が形成され、この回転盤２８の前面および後面には球送り部材２７の回転軸の回りに６０°の回転対称状態で配列された各６個の歯部２９ａと、隣り合う歯部２９ａ間にそれぞれ凹曲面状に凹設された各６個の球受部２９ｂとをそれぞれ有し、前後対称状に形成された前後１対の球切り歯２９Ａ，２９Ｂが同心状で一体状に連接されている。
【００５１】
　回転盤２８の周縁部には両球切り歯２９Ａ，２９Ｂの各歯部２９ａの各外方と、隣合う歯部２９ａ間の中間部の各外方とにそれぞれ配設されて球送り部材２７の回転中心の回りに３０°の回転対称状態で配列され、球受部２９ｂの個数と同数個（１２個）のフォトセンサ用の被検出部７０が凹設されている。
【００５２】
　球送り部材２７の回転盤２８は両球切り歯２９Ａ，２９Ｂ間に挟まれて前後の球受部２９ｂを遮断して仕切る機能と、払い出し球数を教示する機能とを兼有しているので、球送り部材２７をコンパクト化することができる。
【００５３】
　回転盤２８の各被検出部７０は、各被検出部７０内でのゴミ詰まりを防止してフォトセンサの検出時間を長くする目的で、切込み幅が外方へ漸次増大して両側縁が半径方向外側に向けて漸次拡開し、かつ、内端付近に円弧状の丸味が付与されてほぼＵ形状で角部がない形状にそれぞれ形成されている。
【００５４】
　球送り部材２７の両球切り歯２９Ａ，２９Ｂの各球受部２９ｂはパチンコ球を受止め易くかつ放出し易いように球切り歯２９Ａ，２９Ｂの回転中心と球受部２９ｂの中心とを結ぶ線分に対して非対称状に形成され、各球受部２９ｂはパチンコ球を放出する側の曲面の曲率がパチンコ球を受取る側の曲面の曲率より緩やかとなるように形成され、各パチンコ球は各球受部２９によって的確に受止められて定位置で放出され、ユニットベース２１内での球噛みを無くして円滑に旋回移送される。
【００５５】
　球送り部材２７が回転駆動されると、両球切り歯２９Ａ，２９Ｂの各球受部２９ｂはユニットベース２１の前後誘導流路２２Ｃ，２３Ｃ内およびその上方で待機している前後２列のパチンコ球を球受部２９ｂの旋回軌跡の上死点の手前で逐一受取ってから受取ったパチンコ球を前記上死点を越えて旋回移送して前記上死点の先方で逐一放出する。
【００５６】
　両側の球受部２９ｂがパチンコ球を受取ってから放出するまでにその両側の球受部２９ｂが旋回する旋回角度はほぼ等しくなるように設定され、両側の球受部２９ｂはパチンコ球を受取ってからそれぞれ約１８０°旋回した時点でパチンコ球を放出する。放出されたパチンコ球は前後送り出し口２２ｅ，２３ｅを通じて下方へ順次送り出されて収納ケースの球通し口８内に前後２列となって導入される。
【００５７】
　球送り部材２７の前側の球切り歯２９Ａの各球受部２９ｂが前誘導流路２２ｃ内のパチンコ球を受取る位置は後側の球切り歯２９Ｂの各球受部２９ｂが後誘導流路２３ｃ内のパチンコ球を受取る位置より約球１個分高くなり、また、前側の球切り歯２９Ａの球受部２９ｂがパチンコ球を放出する位置は後側の球切り歯２９Ｂの各球受部２９ｂがパチンコ球を放出する位置より約球１個分低くなるように設定され、前後の球切り歯２９Ａ，２９Ｂは受取ったパチンコ球を交互に放出する。
【００５８】
　前後誘導流路２２ｃ，２３ｃの下部ではパチンコ球が下方へ移動してから内方へ若干先下り状に移動して曲進し、出口部６３，６４のパチンコ球にはその上方のパチンコ球の重量が殆ど加えられないので、球送り部材２７に加えられるパチンコ球群の重量を可及的に減少することができる。
【００５９】
　球送り部材２７の前後の球切り歯２９Ａ，２９Ｂは各３個のパチンコ球が両球切り歯２９Ａ，２９Ｂの各６個の球受部２９ｂのうちの上半分の各３個の球受部２９ｂ内に常に保持された状態で回転し、前後列の各パチンコ球は前後両側の球受部２９ｂによって受止められた位置から球受部２９ｂとともに凹陥部２２ｄ，２３ｄ内の上半部で約１８０°旋回移送されてから交互に放出される。
【００６０】
　球払い出し時には前後２列のパチンコ球がそれぞれ両球切り歯２９Ａ，２９Ｂのほぼ上半分によって受止められて旋回移送され、球送り部材２７にはほぼ各３個のパチンコ球の重量が球送り部材２７の回転中心を通る垂直面に対して左右対称状に加えられて球払い出し時に球送り部材２７に加わるパチンコ球の重量は球送り部材２７の左右部においてバランスされる。従って、払い出しモータ２５に対してパチンコ球の重量によって加わる負荷を低減させることができ、払い出しモータ２５を電源断状態ときの払い出しモータ２５の出力軸２５ａおよび球送り部材２７の回転トルクを小さくすることができるので、払い出しモータ２５の回転停止時にその出力軸２５ａを静止状態で保持するための保持電力を少くすることができる。
【００６１】
　ユニットベース２１のセット板２２の内壁面の下端には回転盤２８の各被検出部７０の通過を検出して被検出部７０の通過毎にパルス信号を発信する球送り数センサ（フォトセンサ）７１が取付けられ、この球送り数センサ７１にはその投光部と受光部との間に形成されて回転盤２８の周縁部が挿入された検出溝７１ａが凹設されている。
【００６２】
　球送り部材２７がパチンコ球を１個送り出す毎に回転盤２８の被検出部７０が球送り数センサ７１の検出溝７１ａ内を通過して払い出し球数がカウントされ、球送り数センサ７１がカウントしたカウント数と同数個のパチンコ球が球払い出しユニット２０から払い出される。
【００６３】
　後記賞品球払い出し検出スイッチ５５がセーフ球を検出すると、払い出しモータ２５が起動されて球送り部材２７が回転駆動され、パチンコ球が前後球切り歯２９Ａ，２９Ｂによって球払い出しユニット２０から下方へ遂次送り出され、回転盤２８の被検出部７０が球送り数センサ７１の検出溝７１ａ内を通過する毎に払い出し球数が１カウントされ、セーフ球の種別に対応する払い出し球数と同数個の被検出部７０が球送りセンサ７１によってカウントされた時点で払い出しモータ２５が停止する。また、遊技盤面の各入賞口により異なる個数の賞品数が払い出されるタイプのパチンコ機では払い出し球数は遊技盤面の入賞口若しくは入賞球が通過するセーフ球通路に設けられたセーフ球検出スイッチの出力信号にそれぞれ対応して予め設定された異なる払い出し個数が球送り数センサ７１に係わるカウントアップ値の単位として指定される。
【００６４】
　払い出し制御装置Ａがカード式パチンコ機に装着されている場合には、カードに記録されたデータや貸し球操作部への操作信号がカード球貸し情報処理部（カード情報処理部、貸し球情報処理部）によって処理制御された後、予め定められた球貸し球数分だけ払い出しモータ２５が回転駆動されて球貸し球数に相当する回転角度だけ球送り部材２７が回転し、所要個数の貸し球が球払い出しユニット２０から送り出される。
【００６５】
　例えば、２５個がパチンコ球の購入単位である場合には１００円で２５個のパチンコ球を購入することができ、貸し球スイッチへの操作回数により購入単位が指定される場合には「１」球貸し操作すると（球貸しスイッチを１回押した場合）、パチンコ球２５個分を球送り数センサ７１と回転盤２８の被検出部７０とによって検出してカウントし、２５個のパチンコ球の球貸し動作が完了するようにカード球貸し情報処理部が球貸し要求信号に基づいて払い出しモータ２５の回転量を制御する。操作回数が５回であれば回転盤２８が２５個単位で５回連続して回転し、計１２５個のパチンコ球が貸し球として払い出される。
【００６６】
　収納ケース１内の中央部付近および下部には図２に示すように球払い出しユニット２０の下方に隣接して設置され、収納ケース１に分離可能に結合された球払い出し起動ユニット３０が収納されている。
【００６７】
　球払い出し起動ユニット３０の合成樹脂製のユニットベース３１は図１５〜図１８に示すように上部が収納ケース１の第４前側通路壁１ｉの後端縁および第５前側通路壁１ｊの後端縁に当接した状態で前壁部１ｃの中央部および下部の後側に垂直状に設置されたセット板３２と、このセット板３２の後側に垂直状に設置されたカバー板３３とが分離可能に結合されて形成され、ユニットベース３１の上部には球払い出しユニット２０から送り込まれた前後列のパチンコ球を受入れる球導入口が球通し口８の下方に隣接して開口されている。
【００６８】
　カバー板３３にはセット板３２の後方にパチンコ球約１個分の間隙を隔てて垂立された後側通路壁３３ａが形成され、この後側通路壁３３ａの前面には収納ケース１の第４前側通路壁１ｉの後側にセット板３２を挟んで突合わせ状に隣設された第４後側通路壁３３ｂと、第５前側通路壁１ｊの後側にセット板３２を挟んで突合わせ状に隣設された第５後側通路壁３３ｃとが連接されている。
【００６９】
　第４後側通路壁３３ｂの下端縁は収納ケース１の球出口２の下側開口縁の後部に連接され、第５後側通路壁３３ｃの下端縁は収納ケース１の球抜き口４の下側開口縁の後部に連接されている。
【００７０】
　カバー板３３の第４後側通路壁３３ｂと収納ケース１の内側の側壁板１ａとの間には前払い出し流路６の後側にセット板３２を隔てて並行状態で隣設された後払い出し流路３５が形成され、第５後側通路壁３３ｃと、第４後側通路壁３３ｂおよび収納ケース１の内側の側壁板１ａとの間には前球抜き流路７の後側にセット板３２を隔てて並行状態で隣設された後球抜き流路３６が形成されている。
【００７１】
　カバー板３３の後側通路壁３３ａの上部にはセット板３２とカバー板３３との間に侵入したゴミ等の異物を取出すための取出し窓３３ｃ（図２参照）がスリット状に開設されている。
【００７２】
　セット板３２の上端で、前払い出し流路６および前球抜き流路７の入口部８７の流路壁、および、カバー板３３の後側通路壁３３ａの上端で、後払い出し流路３５および後球抜き流路３６の入口部８８の流路壁には図１１に示すように前面が傾斜状で厚さが上方へ漸減して上端縁が尖鋭状となるようにそれぞれ面取りされた前後１対の面取り部３７が並行状に形成されている。
【００７３】
　また、セット板３２の上端およびカバー板３３の後側通路壁３３ａの上端で、球払い出し起動ユニット３０の前後の内部流路入口８７，８８の流路壁には切込み幅がパチンコ球の流動方向へ漸減し、上端の最大切込み幅がパチンコ球の外径より短縮された形態でＶ形状に切込まれて球払い出しユニット２０の下面取り部６６の下方に隣設された前後１対のＶカット部３８がそれぞれ面取り部３７を左右に分離させた状態で前後に離隔して形成されている。両Ｖカット部３８はその上部では奥行きが下方へ漸増し、下部では等しくなるようにそれぞれ切込まれている。
【００７４】
　球払い出しユニット２０から前後２列となって球払い出しユニット３０の両内部流路入口８７，８８内へ送り込まれるパチンコ球のうち、適正位置から後方乃至内外方向へずれて送り込まれるパチンコ球はその流動方向が路壁面に垂直な方向（前後方向）および平行な方向（内外方向）へＶカット部３８によって修正されて規正された状態で内部流路入口８７，８８内へ導入される。
【００７５】
　ユニットベース３１内の上端付近で球通し口８の下方にはユニットベース３１と収納ケース１の前壁部１ｃとによって左右方向への搖動可能に支持されて、球通し口８を通り抜けた前後列のパチンコ球を前後払い出し流路６，３５若しくは前後球抜き流路７，３６へ振り分ける振り分け弁４０が設置されている。
【００７６】
　振り分け弁４０には、図１７に示すようにセット板３２と収納ケース１の前壁板１ｃとの間、およびセット板３２とカバー板３３の後側通路壁３３ａとの間にそれぞれ装入され、先細状に形成された前後１対の弁体４０ａと、この両弁体４０ａ間に挟み込まれた状態で両弁体４０ａの中央部に結合された連結部４０ｂと、両弁体４０ａの下端に連接された軸部４０ｃとが形成されている。
【００７７】
　振り分け弁４０の姿勢は常には両弁体４０ａが外方へ搖動して前後払い出し流路６，３５が開通状態となって前後球抜き流路７，３６の入口部が閉塞状態となる払い出し姿勢で保持されている。この状態では球払い出しユニット２０によって送り出された賞品球は前後払い出し流路６，３５および球出口３を通り抜けて収納ケース１外へ排出され、収納ケース１外の賞品球流路によって誘導されて上皿口に導入され、上皿上へ送り込まれる。上皿上からオーバフローした賞品球は図２２に示す誘導樋８２によって誘導されて下皿口を通じて下皿上へ送り込まれ、下皿上および下皿口に連通された賞品球貯留部８１（図２２参照）に貯留される。
【００７８】
　振り分け弁４０の両弁体４０ａが内方へ搖動したときには振り分け弁４０の姿勢が前後払い出し流路６，３５の入口部が閉塞状態となって前後球抜き流路７，３６が開通状態となる球抜き姿勢に変換され、球払い出しユニット２０によって送り出されたパチンコ球は前後球抜き流路７，３６および球抜き口４を通り抜けて収納ケース１外へ排出され、収納ケース１外の球排出流路によって誘導されてパチンコ機外へ送り出される。
【００７９】
　ユニットベース３１の下部には図１８に示すように上下方向へ進退動するプランジャ５０ａと、このプランジャ５０ａを下方へ付勢するスプリング５０ｂとを有し、セット板３２に結合された球抜きソレノイド５０が設置され、プランジャ５０ａの上端には上方へ突出された上突片４２ａおよび前方へ突出された前突片４２ｂを有する伝動片４２が分離可能に結合されている。
【００８０】
　伝動片４２と振り分け弁４０とは上端が振り分け弁４０の前側の弁体４０ａの下端付近に係止されて下端が伝動片４２の上突片４２ａに係止された連動杆４８によって連動可能に連繋されている。
【００８１】
　ユニットベース３１のセット板３２の中央部付近には振り分け弁４０に連動可能に連繋されかつ球抜きソレノイド５０のプランジャ５０ａに伝動片４２を介して連動可能に連繋されて軸４６によって上下方向への搖動可能に支持された切換え部材４３が設置され、この切換え部材４３の先端には伝動片４２の前突片４２ｂが挿入されて伝動片４２と切換え部材４３とを連動可能に連繋する円筒状の係合部４３ａが形成されている。
【００８２】
　切換え部材４３の基端付近に貫設された丸孔状の係止孔４３ｂにはパチンコ機外で引上げ操作される操作杆に連繋されて収納ケース１内の外端に装入された連継杆４４の下端が遊挿されている。連継杆４４の下端は切換え部材４３が連継杆４４によって引き上げられて上方へ搖動してから連継杆４４が引下げられたときに連継杆４４の下端が係止孔４３内で下降に連継杆４４が切換え部材４３を押下げずに下動するように係止孔４３ｂの上端縁に掛止されている。
【００８３】
　切換え部材４３が下方へ揺動した状態では振り分け弁４０は伝動片４２および連動杆４８を介して両弁体４０ａを外方へ付勢する球抜きソレノイド５０のスプリング５０ｂの付勢力によって前後払い出し流路５，３６を開通して球通し口８と両払い出し流路５，３６とを連通させた払い出し姿勢で保持される。
【００８４】
　ユニットベース３１の中央部付近にはセット板３２とカバー板３３の後側通路壁３３ａとの間に挟持されて球抜きソレノイド５０を励磁する信号を発信する球抜き検出スイッチ４９が伝動片４２に対向して設置されている。
【００８５】
　故障等に際し、連継杆４４が球抜きのために引上げ操作されると、切換え部材４３が上方へ搖動して伝動片４２が上動し、振り分け弁４０の両弁体４０ａが球通し口８と両球抜き流路７，３６とが連通される方向へ搖動して振り分け弁４０の姿勢が球抜き姿勢に変換されるとともに、球抜きソレノイド５０のプランジャ５０ａが引上げられて上方へ進動し、また、球抜き検出スイッチ４９の触動片４９ａが伝動片４２の上突片４２ａによって押上げられてソレノイド作動スイッチ４９がＯＮとなり、払い出しモータ２５が起動されかつ球抜きソレノイド５０が励磁されてプランジャ５０ａが進動状態で保持され、振り分け弁４０の両弁体４０ａが両球抜き流路７，３６を開通した球抜き姿勢で保持される。
【００８６】
　従って、プランジャ５０ａを引上げるための励磁電力が不要となってプランジャ５０ａを上動位置に保持する保持電力のみで済むので、球抜きソレノイド５０の耐久性を向上させることができる。
【００８７】
　この状態で、連継杆４４が下降しても、連継杆４４の下端が係止孔４３内の下端へ移動して切換え部材４３が上搖動端で保持され、かつ振り分け弁４０の姿勢が球抜き姿勢で保持されて球抜きソレノイド５０が励磁状態で保持され、収納ケース１内のパチンコ球が前後球抜き流路７，３６を通って収納ケース１外へ送り出されてパチンコ機外へ抜き取られる。タイマ等によって設定した球抜き時間、すなわち、球タンク内、タンクレール上、球補給ユニット１０内、球払い出しユニット２０内に貯留されたパチンコ球が全て両球抜き流路７，３６内へ流入するまでに必要な時間が経過すると、払い出しモータ２５が停止しかつ球抜きソレノイド５０が消磁されて元の状態に復元する。
【００８８】
　ユニットベース３１のセット板３２の下端部には周縁部に仕切り壁が突設されたセーフ球用の球切り部５２がケース体１のセーフ球出入口９に対向して形成され、この球切り部５２の後面には常時一定方向へ回転駆動される払い出し起動モータ５４が前向き状に取付けられている。
【００８９】
　払い出し起動モータ５４の出力軸には図１９に示すように１８０°の回転対称状に形成されてパチンコ球の受止めが可能な１対の球受部５６ａを有し、セーフ球出入口９を通って球切り部５２内へ導入されたセーフ球を受渡しする球切りカム５６が固定されている。
【００９０】
　ユニットベース３１の球切り部５２には球切りカム５６の斜め上方に配設されて球切り部５２内へ導入されたセーフ球を検出する賞品球払い出し検出スイッチ５５が球切りカム５６に対向して取付けられ、球切り部５２の上部にはセーフ球出入口９の上部を通じて球切り部５２内へ導入されたセーフ球を後下方の球切りカム５６上へ誘導する上ガイド部５２ａが後下りの傾斜状に形成され、球切り部５２の下部には球切りカム５６の球受部５６ａから放出されたセーフ球をその前下方のセーフ球出入口９の下部へ誘導する下ガイド部５２ｂが前下りの傾斜状に形成されている。
【００９１】
　セーフ球がセーフ球出入口９の上部を通じて球切り部５２内へ導入されると、そのセーフ球は上ガイド部５２ａによって後下方へ誘導されて回転中の球切りカム５６の両球受部５６ａのうち、上方へ旋回した球受部５６ａによって受止められ、その球受部５６ａによって賞品球払い出し検出スイッチ５５側へ旋回移送されて旋回途中で賞品球払い出し検出スイッチ５５の触動片５４ａを押圧し、賞品球払い出し検出スイッチ５５がＯＮとなり、賞品球払い出し起動信号が発信されて払い出しモータ２５が起動され、球送り部材２７が所定数の賞品球の送り出しに必要な時間だけ回転駆動される。
【００９２】
　セーフ球を受止めた球切りカム５６の球受部５６ａが上方の受止め位置から約９０°旋回してセーフ球が賞品球払い出し検出スイッチ５５の下方へ移送されると、そのセーフ球が球受部５６ａから放出されて下ガイド部５２ｃによって前下方へ誘導され、セーフ球出入口９の下部から転がり出て収納ケース１外へ排出される。
【００９３】
　セーフ球が連続的に発生して１群のセーフ球がセーフ球出入口９の上部前側で本体枠Ｈ側の通路壁によって受止められ、セーフ球出入口９の上部前側に集合して待機している状態では先づ、セーフ球出入口９の上部を通り抜けた最先端のセーフ球が球切りカム５６の一方の球受部５６ａ上へ転落してその球受部５６ａによって移送され、最先端のセーフ球がセーフ球出入口９の下部を通じて排出されてから、他方の球受部５６ａが上方へ旋回して次続するセーフ球が他方の球受部５６ａ上へ転落し、その球受部５６ａによって移送されて賞品球払い出し検出スイッチ５５の触動片５５ａを押圧後、セーフ球出入口９を通じて排出され、同様にして各セーフ球が１個づつ順次球切りカム５６によって球切りされてセーフ球出入口９の下部を通じて収納ケース１外へ排出され、各セーフ球の移送毎に賞品球払い出し起動信号が発信されて記憶される。
【００９４】
　ユニットベース３１のセット板３３の前面には球払い出しユニット２０によって送り出された賞品球が賞品球流路等の賞品球貯留部８１（図２２参照）に一定量以上充満して賞品球が球貯留部に過剰貯留されたときに満タン検出信号を発信して賞品球の払い出し禁止状態を出現させる球払い出し禁止スイッチ５８が、カバー板３３の前面に凸設されて球払い出し禁止スイッチ５８の貫通孔内に圧挿された１対の突起を介して取付けられている。
【００９５】
　カバー板３３の中央部付近には図２２に示すように賞品球払い出し禁止スイッチ５８の内方に隣設されて内外方向への水平移動可能で上下方向への移動不能に支持された係動部材５９が水平姿勢で設置されている。
【００９６】
　係動部材５９の外端には前方へ突出されて球払い出し禁止スイッチ５８の押ボタン５８ａの押圧が可能な押圧片５９ａが形成され、係動部材５９の内端には前方へ突出された受動片５９ｂが形成されている。
【００９７】
　パチンコ機の本体枠Ｈの裏側下部に配設されて球払い出しユニット２０によって送り出されて誘導樋８２によって誘導された賞品球が貯留される賞品球貯留部８１の近傍には上端部に嵌挿された支軸７２ａによって収納ケース１側およびその反対側への傾動可能に支持された満タン検知部材７２が設置されている。
【００９８】
　満タン検知部材７２は一定量以上の賞品球が賞品球貯留部８１に貯留されて過剰貯留状態となったときに過剰貯留された賞品球によって押動されて収納ケース１側へ傾動し、前記賞品球貯留部に貯留された賞品球が一定量以下に減少して満タン検知部材７２に対する押動作用が除去されたときに復帰傾動して垂直姿勢に変換される。
【００９９】
　満タン検知部材７２と係動部材５９との間には本体枠Ｈの裏側下部に設置されたガイド部材７４によって内外方向へのスライド可能で上下方向への移動不能に支持され、満タン検知部材７２の動きを係動部材５９に伝達する連繋部材７５が設置されている。この連繋部材７５は満タン検知部材７２によって押動されて外方へ移動した後で、球払い出し禁止スイッチ５８の押ボタン５８ａの付勢力によって内方へ復帰移動するが、押ボタン５８ａの付勢力が不足する場合には連繋部材７５を内方へ付勢するスプリング等の付勢部材を設けてもよい。
【０１００】
　連繋部材７５には内端が満タン検知部材７２の下端に対置された水平な水平部７５ａと、この水平部７５ａの外端に連接された垂立部７５ｂと、この垂立部７５ｂの上端に連接されて係動部材５９側へ突出された押圧部７５ｃとが形成されている。
【０１０１】
　球払い出し禁止スイッチ５８は払い出し制御装置Ａを本体枠Ｈに組付けることによって満タン検知部材７２に係動部材５９および連繋部材７５を介して連繋され、払い出し制御装置Ａを本体枠Ｈから取外すことによって満タン検知部材７２から分離される。
【０１０２】
　賞品球が賞品球貯留部８１に過剰貯留されて満タン検知部材７２が収納ケース１側へ傾動すると、連繋部材７５が満タン検知部材７２によって収納ケース１側へ押動されかつ係動部材５９が連繋部材７５によって球払い出し禁止スイッチ５８側へ押動され、球払い出し禁止スイッチ５８の押ボタン５８ａが係動部材５９によって押圧されて球払い出し禁止スイッチ５８がＯＮとなる。
【０１０３】
　球払い出し禁止スイッチ５８がＯＮとなって賞品球の過剰貯留が検出されると、払い出し起動モータ５４が電源断状態となって払い出し起動モータ５４が駆動を停止し、球払い出しユニット２０の球送り部材２７による払い出し動作が禁止されて球払い出し禁止状態が出現する。
【０１０４】
　賞品球の過剰貯留状態が解消されると、満タン検知部材７２が反収納ケース側へ復帰傾動し、連繋部材７５および係動部材５９が内方へ復帰移動して球払い出し禁止スイッチ５８の押ボタン５８ａが解放され、球払い出し禁止スイッチ５８がＯＦＦとなって球払い出し禁止状態が解消される。
【０１０５】
　また、球払い出し禁止スイッチ５８がＯＮとなって賞品球の過剰貯留が検出されたときに賞品球払い出し検出スイッチ５４を電源断状態にしてセーフ球の検出を不能にし、球払い出し禁止状態を出現させるようにしてもよい。
【０１０６】
　収納ケース１の開口部の中央部付近および下部には図１、図１７に示すように球払い出し起動ユニット３０の後側に隣設された制御基板ユニット７７が設置されている。
【０１０７】
　制御基板ユニット７７の基板ケース７８は透明合成樹脂材で浅箱状に成形されて収納ケース１の下部の後側に重ね合わされ、この基板ケース７８の底板７８ａの外端縁の前面には図２０、図２１に示すように底板７８ａの上部から下部にわたって開口された縦長状の開口部７８ｄを全長にわたってカバーした状態で突設されて断面形状がほぼＬ形状に形成され、リード線束を保持するリード線保持部７８ｃが連接され、基板ケース７８の下板７８ｂの下面には下部が内方へ湾曲した形状を有し、リード線を挿通保持するリード線挿通部７８ｅと、基板ケース７８を収納ケース１に締結するねじが挿通される１対のねじ挿通部７８ｆと、収納ケース１の下壁板１ｂの前端縁に突設された掛止縁に掛脱可能に掛止された掛合部７８ｇとが連接されている。
【０１０８】
　基板ケース７８の開口部には球払い出しに関連する諸動作をコントロールする制御回路を備え、縦長の方形板状に形成されて基板収納ケース７１にねじ止めされた払い出し制御基板７９が設置され、この払い出し制御基板７９の制御回路には払い出し制御装置Ａ内の各電気部品および払い出し制御装置Ａ外の回路基板に接続されたリード線がコネクタを介して接続される。
【０１０９】
　基板ケース７８内には両側縁および下端縁が払い出し制御基板７１の前面に当接された状態で払い出し制御基板７９の前側に間隙を隔てて重ね合わされて払い出し制御基板７９とともに基板ケース７８にねじ止めされ、払い出し制御基板７９の制御回路を静電気ノイズおよび電磁ノイズから防護する金属製のシールド板８０が密嵌状に装入されている。
【０１１０】
　収納ケース１には透明合成樹脂材によって、上板７６ａと下板７６ｂと左右の側板７６ｃと後板７６ｄとを有する箱形状に成形され、球払い出しユニット２０、球払い出し起動ユニット３０および制御基板ユニット７７を覆蓋した状態で収納ケース１の中央部から下端にわたって収納ケース１の後側に設置されたユニットカバー７６が分離可能に結合されている。
【０１１１】
　ユニットカバー７６の上板７６ａの前端縁には図２４に示すように球補給ユニット１０のユニットベース１１の蓋板１１ａの前側に重ね合わされて蓋板１１ａによって係止された係止縁７６ｅと、ユニットベース１１のガイド壁１１ｇの下端部の両側で蓋板１１ａの前側に重ね合わされて球払い出しユニット２０の後導入口２３ｂの後側開口縁付近に設置された１対のガイド縁７６ｆとが突出形成されている。
【０１１２】
　ユニットカバー７６の後板７６ｄの上下部にはそれぞれ横１列に配列されてユニットカバー７６内の熱をユニットカバー７６外へ放散させる複数個の放熱孔７６ｇが払い出しモータ２５および払い出し起動モータ５４に対向してそれぞれ貫設されている。
【０１１３】
　続いて、上記した構成をもつ実施例の作用と効果を説明する。
　本例では球払い出しユニット２０のユニットベース２１の上下端には厚さが下方へ漸増する上面取り部６５と、厚さが下方へ漸減する下面取り部６６とを形成し、球払い出しユニット２０の下方に隣接して設置された球払い出し起動ユニット３０の内部流路入口８７，８８の流路壁には厚さが下方へ漸増する下面取り部６５と、切込み幅がパチンコ球の流動方向へ漸減するように切込まれて球払い出しユニット２０から球払い出し起動ユニットへ送り込まれるパチンコ球の流動方向を規正するＶカット部３８を形成してある。
【０１１４】
　このため、球補給ユニット１０から球払い出しユニット２０へ送り込まれるパチンコ球を球払い出しユニット２０のユニットベース２１の上端に形成した上面取り部６５によって誘導して球払い出しユニット２０の前後導入口２２ａ，２３ａ内へ円滑に導入することができ、また、球払い出しユニット２０から球払い出し起動ユニット３０へ送り込まれるパチンコ球を球払い出しユニット２０のユニットベース２１の下端に形成した下面取り部６６および球払い出し起動ユニット３０のユニットベース３１の上端に形成した面取り部３７によって誘導して球払い出し起動ユニット３０の内部流路入口８７，８８内へ円滑に導入することができ、球補給ユニット１０から球払い出しユニット２０へのパチンコ球の受渡し時、および、球払い出しユニット２０から球払い出し起動ユニット３０へのパチンコ球の受渡し時に球噛みや球詰りが起生する不具合を解消することができる。
【０１１５】
　また、球払い出しユニット２０から球払い出し起動ユニット３０へ送り込まれたパチンコ球のうち、適正方向から後方へずれて送り込まれたパチンコ球の流動方向を、Ｖカット部３８によって前後方向および内外方向へ修正して規正し、そのパチンコ球を球払い出し起動ユニット３０の内部流路入口８７，８８内へ的確かつ円滑に導入することができ、球払い出しユニット２０の内部流路出口の流路壁と、球払い出し起動ユニット３０の内部流路入口８７，８８の流路壁との間に段差があっても、球払い出しユニット２０から球払い出し起動ユニット３０へのパチンコ球の送り込みを円滑化してパチンコ球の送り込み時のパチンコ球の相互干渉や球噛みおよび球詰りを無くすことができる。
【図面の簡単な説明】
【０１１６】
【図１】本発明の１実施例を示す払い出し制御装置の側面図である。
【図２】球補給ユニットと球払い出しユニットと球払い出し起動ユニットとの収納状態を示す背面図である。
【図３】収納ケースの背面図である。
【図４】球補給ユニットの正面図である。
【図５】図４のＸ１−Ｘ１線断面図である。
【図６】図４のＸ２−Ｘ２線断面図である。
【図７】球払い出しユニットの背面図である。
【図８】図７のＸ３−Ｘ３線断面図である。
【図９】球払い出しユニットのユニットベースの背面図である。
【図１０】図９のＸ４−Ｘ４線断面図である。
【図１１】図９のＸ５−Ｘ５線断面図である。
【図１２】球払い出しユニットのセット板の背面図である。
【図１３】同じく、中板の背面図である。
【図１４】球送り部材による球受渡し動作を説明する説明図である。
【図１５】球払い出し起動ユニットの一部破断背面図である。
【図１６】球払い出し起動ユニットの正面図である。
【図１７】球払い出し起動ユニットおよび制御基板ユニットの縦断面図である。
【図１８】振り分け弁駆動機構の正面図である。
【図１９】球払い出し起動機構の正面図である。
【図２０】制御基板ユニットの横断面図である。
【図２１】制御基板ユニットの分解斜視図である。
【図２２】球払い出し禁止スイッチ作動機構の正面図である。
【図２３】図２２のＸ６−Ｘ６線断面図である。
【図２４】ユニットカバーの背面図である。
【図２５】図２４のＸ７−Ｘ７線断面図である。
【符号の説明】
【０１１７】
　１０　球補給ユニット
　２０　球払い出しユニット
　３０　球払い出し起動ユニット
　３７，６５，６６　面取り部
　３８　Ｖカット部
　８７，８８　内部流路入口
【図１】
2004065996.tif 000003
【図２】
2004065996.tif 000004
【図３】
2004065996.tif 000005
【図４】
2004065996.tif 000006
【図５】
2004065996.tif 000007
【図６】
2004065996.tif 000008
【図７】
2004065996.tif 000009
【図８】
2004065996.tif 000010
【図９】
2004065996.tif 000011
【図１０】
2004065996.tif 000012
【図１１】
2004065996.tif 000013
【図１２】
2004065996.tif 000014
【図１３】
2004065996.tif 000015
【図１４】
2004065996.tif 000016
【図１５】
2004065996.tif 000017
【図１６】
2004065996.tif 000018
【図１７】
2004065996.tif 000019
【図１８】
2004065996.tif 000020
【図１９】
2004065996.tif 000021
【図２０】
2004065996.tif 000022
【図２１】
2004065996.tif 000023
【図２２】
2004065996.tif 000024
【図２３】
2004065996.tif 000025
【図２４】
2004065996.tif 000026
【図２５】
2004065996.tif 000027
【手続補正書】
【提出日】平成15年10月30日(2003.10.30)
【手続補正１】
【補正対象書類名】特許請求の範囲
【補正対象項目名】全文
【補正方法】変更
【補正の内容】
【特許請求の範囲】
【請求項１】
　パチンコ球が通過する内部流路がそれぞれ形成された上側の球払い出しユニットと下側ユニットを上下に隣接して備えたパチンコ機におけるパチンコ球の誘導制御装置であって、
　前記誘導制御装置の前壁板には、パチンコ球が通過可能な流路幅を隔てる前側流路壁と後側流路壁とを有して内部流路が形成された前記球払い出しユニットが独立して着脱可能に収納配置されるとともに、
　前記前壁板を前側流路壁としその前側流路壁とパチンコ球が通過可能な流路幅を隔てる後側流路壁を有して内部流路が形成された下側ユニットが配置され、
　前記球払い出しユニットの下部の内部流路出口において、その前側流路壁の下部には、同前側流路壁の厚さが下方へ向けて漸減する傾斜状の面取り部が形成される一方、
　前記下側ユニットの上部の内部流路入口において、その後側流路壁の上部には、同後側流路壁の厚さが上方へ向けて漸減する傾斜状の面取り部が形成されていることを特徴とするパチンコ機におけるパチンコ球の誘導制御装置。
【請求項２】
請求項１に記載のパチンコ機におけるパチンコ球の誘導制御装置であって、
　下側ユニットの内部流路入口においてその後側流路壁の傾斜状の面取り部には、切込み幅がパチンコ球の流動方向へ漸減するように切込まれたカット部が形成されていることを特徴とするパチンコ機におけるパチンコ球の誘導制御装置。
【手続補正２】
【補正対象書類名】明細書
【補正対象項目名】全文
【補正方法】変更
【補正の内容】
【発明の詳細な説明】
【技術分野】
【０００１】
　この発明はパチンコ機におけるパチンコ球の誘導制御装置に関する。
【背景技術】
【０００２】
　従来技術としては例えば特開平４−１９７３７３号公報に記載されたものがある。
【特許文献１】特開平４−１９７３７３号公報
【発明の開示】
【発明が解決しようとする課題】
【０００３】
　本発明はパチンコ球が通過する複数個のユニットにおいて、ユニット間でのパチンコ球の受渡しを円滑化することを課題とするものである。
【課題を解決するための手段】
【０００４】
　この発明の請求項１に係るパチンコ機におけるパチンコ球の誘導制御装置は、パチンコ球が通過する内部流路がそれぞれ形成された上側の球払い出しユニットと下側ユニットを上下に隣接して備えたパチンコ機におけるパチンコ球の誘導制御装置であって、
　前記誘導制御装置の前壁板には、パチンコ球が通過可能な流路幅を隔てる前側流路壁と後側流路壁とを有して内部流路が形成された前記球払い出しユニットが独立して着脱可能に収納配置されるとともに、
　前記前壁板を前側流路壁としその前側流路壁とパチンコ球が通過可能な流路幅を隔てる後側流路壁を有して内部流路が形成された下側ユニットが配置され、
　前記球払い出しユニットの下部の内部流路出口において、その前側流路壁の下部には、同前側流路壁の厚さが下方へ向けて漸減する傾斜状の面取り部が形成される一方、
　前記下側ユニットの上部の内部流路入口において、その後側流路壁の上部には、同後側流路壁の厚さが上方へ向けて漸減する傾斜状の面取り部が形成されていることを特徴とする。
　また、請求項２に係るパチンコ機におけるパチンコ球の誘導制御装置は、請求項１に記載のパチンコ機におけるパチンコ球の誘導制御装置であって、
　下側ユニットの内部流路入口においてその後側流路壁の傾斜状の面取り部には、切込み幅がパチンコ球の流動方向へ漸減するように切込まれたカット部が形成されていることを特徴とする。
【０００５】
［作用］
　請求項１に係るパチンコ機におけるパチンコ球の誘導制御装置において、上側の球払い出しユニットの内部流路と、下側ユニットの内部流路とは、球払い出しユニットの前側流路壁の壁厚さに相当する分だけ前後に段差が生じる。
　球払い出しユニットの下部の内部流路出口において、その前側流路壁の下部には、同前側流路壁の厚さが下方へ向けて漸減する傾斜状の面取り部が形成される一方、下側ユニットの上部の内部流路入口において、その後側流路壁の上部には、同後側流路壁の厚さが上方へ向けて漸減する傾斜状の面取り部が形成されている。
　このため、球払い出しユニットの内部流路内から下側ユニットの内部流路内へ送り込まれたパチンコ球は、球払い出しユニットの前側流路壁下部の面取り部と、下側ユニットの後側流路壁上部の面取り部によってそれぞれ誘導されて流れることでパチンコ球の流れが円滑化される。
　また、請求項２に係るパチンコ機におけるパチンコ球の誘導制御装置においては、下側ユニットの後側流路壁の面取り部に切込まれたカット部によってパチンコ球が誘導されて流れることでパチンコ球の流れがより一層円滑化される。
【発明の効果】
【０００６】
　この発明によれば、上側の球払い出しユニットの内部流路と、下側ユニットの内部流路との段差、すなわち、球払い出しユニットの前側流路壁の壁厚さに相当する分だけ内部流路に前後の段差が生じる場合において、球払い出しユニットの内部流路から下側ユニットの内部流路へ送り込まれたパチンコ球の流れを、球払い出しユニットの内部流路出口の前側流路壁に形成された傾斜状の面取り部と、下側ユニットの内部流路入口の後側流路壁に形成された傾斜状の面取り部によってそれぞれ誘導して円滑化することができる。
　このため、球払い出しユニットの内部流路と、下側ユニットの内部流路との間の段差が原因となるパチンコ球の相互干渉や球噛みおよび球詰りを良好に防止することができる。
【発明を実施するための最良の形態】
【０００７】
　次に、本発明を実施するための最良の形態について、実施例に従って説明する。
【実施例】
【０００８】
　次に、本発明が払い出し制御装置に適用された１実施例を図面にしたがって説明する。但し、パチンコ機を正面から見たときの前後方向を前後方向とし、左右方向を内外方向として以下説明する。
　パチンコ機の本体枠Ｈの片側の縦枠部の裏側に取外し可能に組付けられてタンクレールの先端部付近の下方に設置される払い出し制御装置Ａにおいて、透明合成樹脂材によって成形された収納ケース１は縦長状で後方開放の方形箱形状に形成され、この収納ケース１に結合された部材および各ユニットとともに図１、図２０に示す本体枠Ｈに着脱可能に装着される。
【０００９】
　収納ケース１には内外１対の側壁板１ａと、水平な上壁板１ｂおよび下壁板１ｂと、各壁板１ａ，１ｂの前端縁に連接された垂直な前壁板１ｃとが形成されている。
【００１０】
　収納ケース１の内側の側壁板１ａの上端には図３に示すように球タンク内から送り出されてタンクレール上を前後２列となって払い出し制御装置Ａ側へ流下したパチンコ球が導入される球入口２が開口され、内側の側壁板１ａの上下方向中央部の若干下方には賞品球若しくは貸し球を上皿へ向けて誘導する賞品球流路に連通された球出口３が開口され、内側の側壁板１ａの下部にはパチンコ球をパチンコ機外へ排出する球排出流路に連通された球抜き口４が開口されている。
【００１１】
　収納ケース１の前壁板１ｃの内壁面の上部にはタンクレールから前後２列で送られるパチンコ球のうち、前列のパチンコ球を導く通路を形成する壁が設けられ、前壁板１ｃには上端縁が球入口２の上側開口縁に連接されて上端部付近が外方へ先下り状に傾斜し、中央部付近が内方へ若干凸曲して下部が垂直状に形成された第１前側通路壁１ｄと、内端縁が球入口２の下側開口縁に連接され、外方へ先下り状に傾斜した状態で第１前側通路壁１ｄの上端部付近の下方に形成された第２前側通路壁１ｅと、この第２前側通路壁１ｅの外端縁の下方に間隙を隔ててほぼ垂直状に形成された第３前側通路壁１ｆの各前端縁がそれぞれ連接されている。
【００１２】
　各通路壁１ｄ，１ｅ，１ｆは前列のパチンコ球の誘導が可能な奥行で後方へ突出され、第１前側通路壁１ａと、第２、第３前側通路壁１ｅ，１ｆとの間には前後２列となって球入口２へ導入されたパチンコ球のうちの前列のパチンコ球をタンクレールの延長方向へ誘導してから下方へ誘導する前補給流路５が形成されている。
【００１３】
　収納ケース１の前壁板１ｃの内壁面の中央部付近には両側壁板１ａ間に水平状に設置されて収納ケース１内を上下２室に区画する仕切り壁１ｇの前端縁が連接され、この仕切り壁１ｇの内方には前後２列のパチンコ球の通過が可能な球通し口８が開設されている。
【００１４】
　収納ケース１の前壁板１ｃの内壁面の中央部付近および下部には上端縁が仕切り壁１ｇの内端縁付近の下方に隣接されて下端縁が球抜き口４の下側開口縁の前部に連接され、外方へ凸円弧状に湾曲した湾曲部と、垂直部と、傾斜部と、垂直部と、傾斜部とが上から順に形成された第４前側通路壁１ｉの前端縁と、上端縁が球通し口８の下方に配設されて下端縁が球出口３の下側開口縁の前部に連接され、垂直部と傾斜部とが形成された第５前側通路壁１ｊの前端縁とが連接されている。
【００１５】
　両前側通路壁１ｉ，１ｊは前列のパチンコ球の誘導が可能な奥行で後方へ突出され、収納ケース１の内側の側壁板１ａと第５前側通路壁１ｊとの間には球通し口８の前部を通り抜けたパチンコ球を球出口３へ誘導する前払い出し流路６が形成され、第４前側通路壁１ｉと第５前側通路壁１ｊとの間には球通し口８の前部を通り抜けたパチンコ球を球抜き口４へ誘導する前球抜き流路７が形成されている。
【００１６】
　前壁板１ｃの下端には遊技盤面の各入賞口に入賞したセーフ球が導入される導入口と、収納ケース１内へ１時的に導入されたセーフ球をパチンコ機外へ排出する排出口とを兼ねたセーフ球出入口９が傾斜状に開口されている。このセーフ球出入口９は払い出し制御装置Ａ外に設置された図示しない通路壁によって上下に仕切られて上部が入口部で下部が出口部となるように形成されている。
【００１７】
　収納ケース１の上部には図２に示すようにタンクレールからパチンコ球を受入れて下方へ誘導しかつ遊技者に払い出されるパチンコ球を貯留する球補給ユニット１０が着脱可能に結合されて収納されている。
【００１８】
　球補給ユニット１０のユニットベース１１は不透明の合成樹脂材で成形され、このユニットベース１１の後端には図１、図２に示すように収納ケース１の開口部の上部を覆蓋する蓋板１１ａが垂直状に形成されている。
【００１９】
　ユニットベース１１の蓋板１１ａの前面には図４、図５に示すように収納ケース１の第１前側通路壁１ｄの後方に隣設されて第１前側通路壁１ｄに突合わせ状に対置された第１後側通路壁１１ｂと、第２前側通路壁１ｅの後方に隣設されて第２前側通路壁１ｅに突合わせ状に対置された第２後側通路壁１１ｃと、第３前側通路壁１ｆの後方に隣設されて第３前側通路壁１ｆに突合わせ状に対置された第３後側通路壁１１ｄとの各後端縁がそれぞれ連接されるとともに、蓋板１１ａの前面には第１後側通路壁１１ｂと第２、第３後側通路壁１１ｃ，１１ｄとの中間部に配設されて奥行が各後側通路壁１１ｂ，１１ｃ，１１ｄの奥行より短縮されたガイド壁１１ｇが連接されている。
【００２０】
　第１後側通路壁１１ｂと、第２、第３後側通路壁１１ｃ，１１ｄとの間にはタンクレール上から球入口２内へ導入された前後２列のパチンコ球のうちの後列の各パチンコ球をタンクレールの延長方向へ誘導してから下方へ誘導する後補給流路１３が前補給流路５の後側に隣接して形成されている。
【００２１】
　前補給流路５と後補給流路１３とは収納ケース１の各前通路壁１ｄ，１ｅ，１ｆと、ユニットベース１１の各後通路壁１１ｂ，１１ｃ，１１ｄとの間に挟み込まれた状態で垂立され、ステンレス製で導電性を有し、前後補給流路５，１３内を帯電状態で流下するパチンコ球の静電気を除去する機能を有する帯電防止用の除電板１５によって仕切られている。この除電板１５はリード線１９およびこのリード線１９に接続されたコネクタ端子を通じてアースされ、後記払い出し制御基板７９を静電気から防護する目的で設置されている。
【００２２】
　除電板１５の下端の左右方向中央部には正面形状がほぼ逆Ｖ形状で深さが上方へ漸減する誘導のＶカット部１６が後補給流路１３内へ若干突入された状態で曲げ起し状に形成されている。
【００２３】
　蓋板１１ａの前側には蓋板１１ａの上部に挿着されて前方へ水平状に延出された支軸１８によってそれぞれ内外方向への搖動可能に支持されて前後補給流路５，１３内の球切れを検出する前後１対の球切れ検出片１４が設置されている。
【００２４】
　両球切れ検出片１４の下端には内方へ突出された押圧部１４ａが形成されている。球切れ検出片１４が搖動すると、その下端縁がそれぞれ前後補給流路５，１３の内外へ出没する。
【００２５】
　両補給流路５，１３内に所定数以上のパチンコ球が貯留されている場合には両球切れ検出片１４がパチンコ球によって押動されてそれぞれ内方へ搖動し、両補給流路５，１３内の一方若しくは両方に貯留されたパチンコ球数が不足している場合には一方の球切れ検出片１４若しくは両球切れ検出片１４が後記球切れ検出スイッチ１７の触動片１７ａによって押圧されて外方へ搖動する。
【００２６】
　ユニットベース１１の蓋板１１ａの前面の内端部には図６に示すように両球切れ検出片１４の内方で前方へ水平状に突出された上下１対の挟持片１１ｅと、この両挟持片１１ｅ間に設置された上下１対のスイッチ支持片１１ｆとが連接され、両スイッチ支持片１１ｆの前端面には前方へ若干突出されたピン状の突起６１がそれぞれ形成されている。
【００２７】
　蓋板１１ａの前側には後記スイッチホルダ６０を介して前後に離隔して並行状態で両挟持片１１ｅ間に挟み込まれた前後１対の球切れ検出スイッチ１７が両球切れ検出片１４にそれぞれ対向して設置されている。
【００２８】
　両球切れ検出スイッチ１７間にはこの両球切れ検出スイッチ１７間の間隙の中央部に垂立された方形板状の仕切り板６０ａと、この仕切り板６０ａの両側面の上下部にそれぞれ突設された左右各１対の突片６０ｂと、この突片６０ｂの外端面にそれぞれ突設されたピン状の突起６０ｃとを有する合成樹脂製のスイッチホルダ６０が挟み込まれている。
【００２９】
　両球切れ検出スイッチ１７の本体部には上下１対の貫通孔１７ｂがそれぞれ貫設され、両球切れ検出スイッチ１７は、両スイッチ支持片１１ｆの突起６１が前側の球切れ検出スイッチ１７の両貫通孔１７ｂ内にそれぞれ挿入され、スイッチホルダ６０の各突起６０ｃが両球切れ検出スイッチ１７の各貫通孔１７ｂ内にそれぞれ挿入された状態でユニットベース１１に取付けられている。
【００３０】
　前側の球切れ検出スイッチ１７は収納ケース１の前壁板１ｃとスイッチホルダ６０との間に挟持され、後側の球切れ検出スイッチ１７はスイッチホルダ６０と蓋板１１ａとの間に挟持され、両球切れ検出スイッチ１７はビスを使用せずに組付けられているので、両球切れ検出スイッチ１７の組付け手数を軽減することができる。
【００３１】
　ユニットベース１１の蓋板１１ａには球切れ検出片１４の押圧部１４ａと球切れ検出スイッチ１７の触動片１７ａとの作動状態を球補給ユニット１０の外部から透視するための覗き窓６２が丸孔状に開口されている。この覗き窓６２によって球切れ検出スイッチ１７の作動状態が正常か異常かを明確に視認することができる。
【００３２】
　両補給流路５，１３のうちの一方でパチンコ球が欠乏して一方の球切れ検出片１４が外方へ搖動すると、その球切れ検出片１４に対向する球切れ検出スイッチ１７の触動片１７ａが解放されてその球切れ検出スイッチ１７がＯＮとなり、球切れ検出信号が発信される。
【００３３】
　両補給流路５，１３内にそれぞれパチンコ球が補給されて充満すると、両球切れ検出片１４が共に内方へ搖動して両球切れ検出スイッチ１７の触動片１７ａを押圧し、両球切れ検出スイッチ１７がＯＦＦとなる。球切れ検出スイッチ１７は後記払い出しモータ２５や払い出し起動モータ５５を電源断状態にする信号を発信したり、貸し球禁止、球抜き禁止を含む払い出し禁止信号を発信する。
【００３４】
　収納ケース１内の中央部付近には図２に示すように収納ケース１に仕切り壁１ｇ上で分離可能に結合されて球補給ユニット１０の下側に隣接して設置された球払い出しユニット２０が収納されている。
【００３５】
　球払い出しユニット２０のユニットベース２１は透明合成樹脂材で形成され、このユニットベース２１は図８に示すように収納ケース１の前壁板１ｃに沿って垂直状に設置されたセット板２２（この発明の前側流路壁に相当する）と、このセット板２２の後側に垂直状に設置されたカバー板２３と、セット板２２とカバー板２３との間に挟み込まれた中板２４（この発明の後側流路壁に相当する）とが分離可能に結合されて形成されている。
【００３６】
　ユニットベース２１のセット板２２の前端には図９〜図１４に示すように収納ケース１の前壁板１ｃに密接された前通路壁２２ａが垂直状に形成され、セット板２２の上端には前補給流路５から送り込まれたパチンコ球を受入れる前導入口２２ｂが開設されている。
【００３７】
　セット板２２の上部で前導入口２２ｂの下方にはパチンコ球の落下衝撃が吸収されるようにほぼ円弧状に湾曲されて前導入口２２ｂに落入したパチンコ球を一旦下外方へ誘導してから下内方へ誘導する前誘導流路２２ｃが形成されている。
【００３８】
　セット板２２の中央部付近には円弧状に湾曲した路壁面を有し、前誘導流路２２ｃの出口部６３を通り抜けたパチンコ球が送り込まれる前凹陥部２２ｄが凹設され、セット板２２の下端には前凹陥部２２ｄを通り抜けたパチンコ球をセット板２２内からその下方へ送り出す前送り出し口２２ｅが収納ケース１の球通し口８に対向して開設されている。
【００３９】
　カバー板２３の後端には中板２４の後方にパチンコ球約１個分の間隙を隔てて垂立された後側通路壁２３ａが形成され、カバー板２３の上端には前導入口２２ａの後側に隣設されて後補給流路１３から送り込まれたパチンコ球を受入れる後導入口２３ｂが開設されている。
【００４０】
　カバー板２３の上部で後導入口２３ｂの下方には前誘導流路２２ｃの後側に隣設されてパチンコ球の落下衝撃が吸収されるように曲折され、後導入口２３ｂに落入したパチンコ球を一旦若干下方へ誘導してから下内方へ誘導する後誘導流路２３ｃが形成され、この後誘導流路２３ｃの出口部６４は前誘導流路２２ｃの出口部６３よりパチンコ球約１個分下位に配置されている。前後誘導流路２２ｃ，２３ｃの出口部６３，６４付近は内方に向って先下り状に傾斜した形状に形成されている。
【００４１】
　カバー板２３の中央部付近には前凹陥部２２ｄの後側に隣設されて後誘導流路２３ｃの出口部６４を通り抜けたパチンコ球が送り込まれる後凹陥部２３ｄが凹設され、カバー板２３の下端には前送出し口２２ｅの後側に隣設されて後凹陥部２３ｄを通り抜けたパチンコ球をカバー板２３内からその下方へ送り出す後送り出し口２３ｅが収納ケース１の球通し口８に対向して開設されている。
　前後導入口２２ｂ，２３ｂおよび前後誘導路２２ｃ，２３ｃおよび前後送り出し口２２ｅ，２３ｅはそれぞれ中板２４によってそれぞれ仕切られている。
【００４２】
　前後導入口２２ｂ，２３ｂの壁面、すなわち、セット板２２の前通路壁２２ａの上端部の後面と、カバー板２３の後通路壁２３ａの上端部の前面と、中板２４の上端部の後面とにはそれぞれ厚さが上方へ漸減するように面取りされた上面取り部６５がそれぞれ形成されている。前後導入口２２ｂ，２３ｂを通り抜けるパチンコ球は上面取り部６５によって前後方向へ若干逃避挙動しながら流下し、前後導入口２２ｂ，２３ｂでのパチンコ球の球噛みが防止される。
【００４３】
　前後球送り出し口２２ｅ，２３ｅの壁面、すなわち、セット板２２の前通路壁２２ａの下端部の後面と、カバー板２３の後通路壁２３ａの下端部の前面と、中板２４の下端部の後面とにはそれぞれ厚さが下方へ漸減するように面取りされた下面取り部６６がそれぞれ形成されている。前後送り出し口２２ｅ，２３ｅを通り抜けるパチンコ球は下面取り部６６によって前後方向へ逃避挙動しながら流下してパチンコ球の球噛みが防止される。
【００４４】
　前後壁体２２，２３の前後通路壁２２ａ，２３ａには前後誘導流路２２ｃ，２３ｃ内および前後凹陥部２２ｄ，２３ｄ内に侵入したゴミ等の異物を外部へ取出す目的で図９、図１２に示す取出し窓６７がスリット状に開設されている。
【００４５】
　セット板２２の前凹陥部２２ｄの中心部にはその後方へ横出された支軸２６の前端部が挿着されている。
【００４６】
　カバー板２３の後面には支軸２６の後方に突合わせ状に隣設された出力軸２５ａを有するステッピングモータ型の払い出しモータ２５が、この払い出しモータ２５とカバー板２３との間に金属製の放熱板６８が挟み込まれた状態で放熱板６８とともに取付けられ、放熱板６８は本例ではアルミニルム板をほぼＬ形状に曲折した形状に形成されている。
【００４７】
　払い出しモータ２５はこの払い出しモータ２５と後記払い出し制御基板７９とを接続するリード線束のコネクタが脱着されるコネクタ２５ｂを備え、放熱板６８にはそのリード線束を挿通保持するリード線保持部６８ａが切欠き形成され、このリード線保持部６８ａはリード線束の脱出が阻止されるように入口部の挿通幅を狭くした形状に形成されている。
【００４８】
　払い出しモータ２５が球噛み等の原因によって過熱したときには払い出しモータ２５の熱が放熱板６８を通じて放散されてユニットベース２１への熱の伝導が防止される。また、球払い出しユニット２０の組付け等に際し、球払い出しユニット２０が誤って落下したときなどに放熱板６８によって落下衝撃を受止めてユニットベース２１および払い出しモータ２５を落下衝撃から防護することができる。
【００４９】
　払い出しモータ２５の出力軸２５ａには支軸２６によって回転可能に支持されて前後凹陥部２２ｄ，２３ｄ内に装入され、払い出しモータ２５によって前後方向に沿う水平な回転軸を中心として回転駆動される不透明合成樹脂製の球送り部材２７が結合されている。
【００５０】
　球送り部材２７の前後方向中央部には円盤状で払い出し球数の教示および仕切り壁兼用の回転盤２８が形成され、この回転盤２８の前面および後面には球送り部材２７の回転軸の回りに６０°の回転対称状態で配列された各６個の歯部２９ａと、隣り合う歯部２９ａ間にそれぞれ凹曲面状に凹設された各６個の球受部２９ｂとをそれぞれ有し、前後対称状に形成された前後１対の球切り歯２９Ａ，２９Ｂが同心状で一体状に連接されている。
【００５１】
　回転盤２８の周縁部には両球切り歯２９Ａ，２９Ｂの各歯部２９ａの各外方と、隣合う歯部２９ａ間の中間部の各外方とにそれぞれ配設されて球送り部材２７の回転中心の回りに３０°の回転対称状態で配列され、球受部２９ｂの個数と同数個（１２個）のフォトセンサ用の被検出部７０が凹設されている。
【００５２】
　球送り部材２７の回転盤２８は両球切り歯２９Ａ，２９Ｂ間に挟まれて前後の球受部２９ｂを遮断して仕切る機能と、払い出し球数を教示する機能とを兼有しているので、球送り部材２７をコンパクト化することができる。
【００５３】
　回転盤２８の各被検出部７０は、各被検出部７０内でのゴミ詰まりを防止してフォトセンサの検出時間を長くする目的で、切込み幅が外方へ漸次増大して両側縁が半径方向外側に向けて漸次拡開し、かつ、内端付近に円弧状の丸味が付与されてほぼＵ形状で角部がない形状にそれぞれ形成されている。
【００５４】
　球送り部材２７の両球切り歯２９Ａ，２９Ｂの各球受部２９ｂはパチンコ球を受止め易くかつ放出し易いように球切り歯２９Ａ，２９Ｂの回転中心と球受部２９ｂの中心とを結ぶ線分に対して非対称状に形成され、各球受部２９ｂはパチンコ球を放出する側の曲面の曲率がパチンコ球を受取る側の曲面の曲率より緩やかとなるように形成され、各パチンコ球は各球受部２９によって的確に受止められて定位置で放出され、ユニットベース２１内での球噛みを無くして円滑に旋回移送される。
【００５５】
　球送り部材２７が回転駆動されると、両球切り歯２９Ａ，２９Ｂの各球受部２９ｂはユニットベース２１の前後誘導流路２２Ｃ，２３Ｃ内およびその上方で待機している前後２列のパチンコ球を球受部２９ｂの旋回軌跡の上死点の手前で逐一受取ってから受取ったパチンコ球を前記上死点を越えて旋回移送して前記上死点の先方で逐一放出する。
【００５６】
　両側の球受部２９ｂがパチンコ球を受取ってから放出するまでにその両側の球受部２９ｂが旋回する旋回角度はほぼ等しくなるように設定され、両側の球受部２９ｂはパチンコ球を受取ってからそれぞれ約１８０°旋回した時点でパチンコ球を放出する。放出されたパチンコ球は前後送り出し口２２ｅ，２３ｅを通じて下方へ順次送り出されて収納ケースの球通し口８内に前後２列となって導入される。
【００５７】
　球送り部材２７の前側の球切り歯２９Ａの各球受部２９ｂが前誘導流路２２ｃ内のパチンコ球を受取る位置は後側の球切り歯２９Ｂの各球受部２９ｂが後誘導流路２３ｃ内のパチンコ球を受取る位置より約球１個分高くなり、また、前側の球切り歯２９Ａの球受部２９ｂがパチンコ球を放出する位置は後側の球切り歯２９Ｂの各球受部２９ｂがパチンコ球を放出する位置より約球１個分低くなるように設定され、前後の球切り歯２９Ａ，２９Ｂは受取ったパチンコ球を交互に放出する。
【００５８】
　前後誘導流路２２ｃ，２３ｃの下部ではパチンコ球が下方へ移動してから内方へ若干先下り状に移動して曲進し、出口部６３，６４のパチンコ球にはその上方のパチンコ球の重量が殆ど加えられないので、球送り部材２７に加えられるパチンコ球群の重量を可及的に減少することができる。
【００５９】
　球送り部材２７の前後の球切り歯２９Ａ，２９Ｂは各３個のパチンコ球が両球切り歯２９Ａ，２９Ｂの各６個の球受部２９ｂのうちの上半分の各３個の球受部２９ｂ内に常に保持された状態で回転し、前後列の各パチンコ球は前後両側の球受部２９ｂによって受止められた位置から球受部２９ｂとともに凹陥部２２ｄ，２３ｄ内の上半部で約１８０°旋回移送されてから交互に放出される。
【００６０】
　球払い出し時には前後２列のパチンコ球がそれぞれ両球切り歯２９Ａ，２９Ｂのほぼ上半分によって受止められて旋回移送され、球送り部材２７にはほぼ各３個のパチンコ球の重量が球送り部材２７の回転中心を通る垂直面に対して左右対称状に加えられて球払い出し時に球送り部材２７に加わるパチンコ球の重量は球送り部材２７の左右部においてバランスされる。従って、払い出しモータ２５に対してパチンコ球の重量によって加わる負荷を低減させることができ、払い出しモータ２５を電源断状態ときの払い出しモータ２５の出力軸２５ａおよび球送り部材２７の回転トルクを小さくすることができるので、払い出しモータ２５の回転停止時にその出力軸２５ａを静止状態で保持するための保持電力を少くすることができる。
【００６１】
　ユニットベース２１のセット板２２の内壁面の下端には回転盤２８の各被検出部７０の通過を検出して被検出部７０の通過毎にパルス信号を発信する球送り数センサ（フォトセンサ）７１が取付けられ、この球送り数センサ７１にはその投光部と受光部との間に形成されて回転盤２８の周縁部が挿入された検出溝７１ａが凹設されている。
【００６２】
　球送り部材２７がパチンコ球を１個送り出す毎に回転盤２８の被検出部７０が球送り数センサ７１の検出溝７１ａ内を通過して払い出し球数がカウントされ、球送り数センサ７１がカウントしたカウント数と同数個のパチンコ球が球払い出しユニット２０から払い出される。
【００６３】
　後記賞品球払い出し検出スイッチ５５がセーフ球を検出すると、払い出しモータ２５が起動されて球送り部材２７が回転駆動され、パチンコ球が前後球切り歯２９Ａ，２９Ｂによって球払い出しユニット２０から下方へ遂次送り出され、回転盤２８の被検出部７０が球送り数センサ７１の検出溝７１ａ内を通過する毎に払い出し球数が１カウントされ、セーフ球の種別に対応する払い出し球数と同数個の被検出部７０が球送りセンサ７１によってカウントされた時点で払い出しモータ２５が停止する。また、遊技盤面の各入賞口により異なる個数の賞品数が払い出されるタイプのパチンコ機では払い出し球数は遊技盤面の入賞口若しくは入賞球が通過するセーフ球通路に設けられたセーフ球検出スイッチの出力信号にそれぞれ対応して予め設定された異なる払い出し個数が球送り数センサ７１に係わるカウントアップ値の単位として指定される。
【００６４】
　払い出し制御装置Ａがカード式パチンコ機に装着されている場合には、カードに記録されたデータや貸し球操作部への操作信号がカード球貸し情報処理部（カード情報処理部、貸し球情報処理部）によって処理制御された後、予め定められた球貸し球数分だけ払い出しモータ２５が回転駆動されて球貸し球数に相当する回転角度だけ球送り部材２７が回転し、所要個数の貸し球が球払い出しユニット２０から送り出される。
【００６５】
　例えば、２５個がパチンコ球の購入単位である場合には１００円で２５個のパチンコ球を購入することができ、貸し球スイッチへの操作回数により購入単位が指定される場合には「１」球貸し操作すると（球貸しスイッチを１回押した場合）、パチンコ球２５個分を球送り数センサ７１と回転盤２８の被検出部７０とによって検出してカウントし、２５個のパチンコ球の球貸し動作が完了するようにカード球貸し情報処理部が球貸し要求信号に基づいて払い出しモータ２５の回転量を制御する。操作回数が５回であれば回転盤２８が２５個単位で５回連続して回転し、計１２５個のパチンコ球が貸し球として払い出される。
【００６６】
　収納ケース１内の中央部付近および下部には図２に示すように球払い出しユニット２０の下方に隣接して設置され、収納ケース１に分離可能に結合された球払い出し起動ユニット（この発明の下側ユニットに相当する）３０が収納されている。
【００６７】
　球払い出し起動ユニット３０の合成樹脂製のユニットベース３１は図１５〜図１８に示すように上部が収納ケース１の第４前側通路壁１ｉの後端縁および第５前側通路壁１ｊの後端縁に当接した状態で前壁部１ｃの中央部および下部の後側に垂直状に設置されたセット板（この発明の後側流路壁に相当する）３２と、このセット板３２の後側に垂直状に設置されたカバー板３３とが分離可能に結合されて形成され、ユニットベース３１の上部には球払い出しユニット２０から送り込まれた前後列のパチンコ球を受入れる球導入口が球通し口８の下方に隣接して開口されている。
【００６８】
　カバー板３３にはセット板３２の後方にパチンコ球約１個分の間隙を隔てて垂立された後側通路壁３３ａが形成され、この後側通路壁３３ａの前面には収納ケース１の第４前側通路壁１ｉの後側にセット板３２を挟んで突合わせ状に隣設された第４後側通路壁３３ｂと、第５前側通路壁１ｊの後側にセット板３２を挟んで突合わせ状に隣設された第５後側通路壁３３ｃとが連接されている。
【００６９】
　第４後側通路壁３３ｂの下端縁は収納ケース１の球出口２の下側開口縁の後部に連接され、第５後側通路壁３３ｃの下端縁は収納ケース１の球抜き口４の下側開口縁の後部に連接されている。
【００７０】
　カバー板３３の第４後側通路壁３３ｂと収納ケース１の内側の側壁板１ａとの間には前払い出し流路６の後側にセット板３２を隔てて並行状態で隣設された後払い出し流路３５が形成され、第５後側通路壁３３ｃと、第４後側通路壁３３ｂおよび収納ケース１の内側の側壁板１ａとの間には前球抜き流路７の後側にセット板３２を隔てて並行状態で隣設された後球抜き流路３６が形成されている。
【００７１】
　カバー板３３の後側通路壁３３ａの上部にはセット板３２とカバー板３３との間に侵入したゴミ等の異物を取出すための取出し窓３３ｃ（図２参照）がスリット状に開設されている。
【００７２】
　セット板３２の上端で、前払い出し流路６および前球抜き流路７の入口部８７の流路壁、および、カバー板３３の後側通路壁３３ａの上端で、後払い出し流路３５および後球抜き流路３６の入口部８８の流路壁には図１１に示すように前面が傾斜状で厚さが上方へ漸減して上端縁が尖鋭状となるようにそれぞれ面取りされた前後１対の面取り部３７が並行状に形成されている。
【００７３】
　また、セット板３２の上端およびカバー板３３の後側通路壁３３ａの上端で、球払い出し起動ユニット３０の前後の内部流路入口８７，８８の流路壁には切込み幅がパチンコ球の流動方向へ漸減し、上端の最大切込み幅がパチンコ球の外径より短縮された形態でＶ形状に切込まれて球払い出しユニット２０の下面取り部６６の下方に隣設された前後１対のＶカット部３８がそれぞれ面取り部３７を左右に分離させた状態で前後に離隔して形成されている。両Ｖカット部３８はその上部では奥行きが下方へ漸増し、下部では等しくなるようにそれぞれ切込まれている。
【００７４】
　球払い出しユニット２０から前後２列となって球払い出しユニット３０の両内部流路入口８７，８８内へ送り込まれるパチンコ球のうち、適正位置から後方乃至内外方向へずれて送り込まれるパチンコ球はその流動方向が路壁面に垂直な方向（前後方向）および平行な方向（内外方向）へＶカット部３８によって修正されて規正された状態で内部流路入口８７，８８内へ導入される。
【００７５】
　ユニットベース３１内の上端付近で球通し口８の下方にはユニットベース３１と収納ケース１の前壁部１ｃとによって左右方向への搖動可能に支持されて、球通し口８を通り抜けた前後列のパチンコ球を前後払い出し流路６，３５若しくは前後球抜き流路７，３６へ振り分ける振り分け弁４０が設置されている。
【００７６】
　振り分け弁４０には、図１７に示すようにセット板３２と収納ケース１の前壁板１ｃとの間、およびセット板３２とカバー板３３の後側通路壁３３ａとの間にそれぞれ装入され、先細状に形成された前後１対の弁体４０ａと、この両弁体４０ａ間に挟み込まれた状態で両弁体４０ａの中央部に結合された連結部４０ｂと、両弁体４０ａの下端に連接された軸部４０ｃとが形成されている。
【００７７】
　振り分け弁４０の姿勢は常には両弁体４０ａが外方へ搖動して前後払い出し流路６，３５が開通状態となって前後球抜き流路７，３６の入口部が閉塞状態となる払い出し姿勢で保持されている。この状態では球払い出しユニット２０によって送り出された賞品球は前後払い出し流路６，３５および球出口３を通り抜けて収納ケース１外へ排出され、収納ケース１外の賞品球流路によって誘導されて上皿口に導入され、上皿上へ送り込まれる。上皿上からオーバフローした賞品球は図２２に示す誘導樋８２によって誘導されて下皿口を通じて下皿上へ送り込まれ、下皿上および下皿口に連通された賞品球貯留部８１（図２２参照）に貯留される。
【００７８】
　振り分け弁４０の両弁体４０ａが内方へ搖動したときには振り分け弁４０の姿勢が前後払い出し流路６，３５の入口部が閉塞状態となって前後球抜き流路７，３６が開通状態となる球抜き姿勢に変換され、球払い出しユニット２０によって送り出されたパチンコ球は前後球抜き流路７，３６および球抜き口４を通り抜けて収納ケース１外へ排出され、収納ケース１外の球排出流路によって誘導されてパチンコ機外へ送り出される。
【００７９】
　ユニットベース３１の下部には図１８に示すように上下方向へ進退動するプランジャ５０ａと、このプランジャ５０ａを下方へ付勢するスプリング５０ｂとを有し、セット板３２に結合された球抜きソレノイド５０が設置され、プランジャ５０ａの上端には上方へ突出された上突片４２ａおよび前方へ突出された前突片４２ｂを有する伝動片４２が分離可能に結合されている。
【００８０】
　伝動片４２と振り分け弁４０とは上端が振り分け弁４０の前側の弁体４０ａの下端付近に係止されて下端が伝動片４２の上突片４２ａに係止された連動杆４８によって連動可能に連繋されている。
【００８１】
　ユニットベース３１のセット板３２の中央部付近には振り分け弁４０に連動可能に連繋されかつ球抜きソレノイド５０のプランジャ５０ａに伝動片４２を介して連動可能に連繋されて軸４６によって上下方向への搖動可能に支持された切換え部材４３が設置され、この切換え部材４３の先端には伝動片４２の前突片４２ｂが挿入されて伝動片４２と切換え部材４３とを連動可能に連繋する円筒状の係合部４３ａが形成されている。
【００８２】
　切換え部材４３の基端付近に貫設された丸孔状の係止孔４３ｂにはパチンコ機外で引上げ操作される操作杆に連繋されて収納ケース１内の外端に装入された連継杆４４の下端が遊挿されている。連継杆４４の下端は切換え部材４３が連継杆４４によって引き上げられて上方へ搖動してから連継杆４４が引下げられたときに連継杆４４の下端が係止孔４３内で下降に連継杆４４が切換え部材４３を押下げずに下動するように係止孔４３ｂの上端縁に掛止されている。
【００８３】
　切換え部材４３が下方へ揺動した状態では振り分け弁４０は伝動片４２および連動杆４８を介して両弁体４０ａを外方へ付勢する球抜きソレノイド５０のスプリング５０ｂの付勢力によって前後払い出し流路５，３６を開通して球通し口８と両払い出し流路５，３６とを連通させた払い出し姿勢で保持される。
【００８４】
　ユニットベース３１の中央部付近にはセット板３２とカバー板３３の後側通路壁３３ａとの間に挟持されて球抜きソレノイド５０を励磁する信号を発信する球抜き検出スイッチ４９が伝動片４２に対向して設置されている。
【００８５】
　故障等に際し、連継杆４４が球抜きのために引上げ操作されると、切換え部材４３が上方へ搖動して伝動片４２が上動し、振り分け弁４０の両弁体４０ａが球通し口８と両球抜き流路７，３６とが連通される方向へ搖動して振り分け弁４０の姿勢が球抜き姿勢に変換されるとともに、球抜きソレノイド５０のプランジャ５０ａが引上げられて上方へ進動し、また、球抜き検出スイッチ４９の触動片４９ａが伝動片４２の上突片４２ａによって押上げられてソレノイド作動スイッチ４９がＯＮとなり、払い出しモータ２５が起動されかつ球抜きソレノイド５０が励磁されてプランジャ５０ａが進動状態で保持され、振り分け弁４０の両弁体４０ａが両球抜き流路７，３６を開通した球抜き姿勢で保持される。
【００８６】
　従って、プランジャ５０ａを引上げるための励磁電力が不要となってプランジャ５０ａを上動位置に保持する保持電力のみで済むので、球抜きソレノイド５０の耐久性を向上させることができる。
【００８７】
　この状態で、連継杆４４が下降しても、連継杆４４の下端が係止孔４３内の下端へ移動して切換え部材４３が上搖動端で保持され、かつ振り分け弁４０の姿勢が球抜き姿勢で保持されて球抜きソレノイド５０が励磁状態で保持され、収納ケース１内のパチンコ球が前後球抜き流路７，３６を通って収納ケース１外へ送り出されてパチンコ機外へ抜き取られる。タイマ等によって設定した球抜き時間、すなわち、球タンク内、タンクレール上、球補給ユニット１０内、球払い出しユニット２０内に貯留されたパチンコ球が全て両球抜き流路７，３６内へ流入するまでに必要な時間が経過すると、払い出しモータ２５が停止しかつ球抜きソレノイド５０が消磁されて元の状態に復元する。
【００８８】
　ユニットベース３１のセット板３２の下端部には周縁部に仕切り壁が突設されたセーフ球用の球切り部５２がケース体１のセーフ球出入口９に対向して形成され、この球切り部５２の後面には常時一定方向へ回転駆動される払い出し起動モータ５４が前向き状に取付けられている。
【００８９】
　払い出し起動モータ５４の出力軸には図１９に示すように１８０°の回転対称状に形成されてパチンコ球の受止めが可能な１対の球受部５６ａを有し、セーフ球出入口９を通って球切り部５２内へ導入されたセーフ球を受渡しする球切りカム５６が固定されている。
【００９０】
　ユニットベース３１の球切り部５２には球切りカム５６の斜め上方に配設されて球切り部５２内へ導入されたセーフ球を検出する賞品球払い出し検出スイッチ５５が球切りカム５６に対向して取付けられ、球切り部５２の上部にはセーフ球出入口９の上部を通じて球切り部５２内へ導入されたセーフ球を後下方の球切りカム５６上へ誘導する上ガイド部５２ａが後下りの傾斜状に形成され、球切り部５２の下部には球切りカム５６の球受部５６ａから放出されたセーフ球をその前下方のセーフ球出入口９の下部へ誘導する下ガイド部５２ｂが前下りの傾斜状に形成されている。
【００９１】
　セーフ球がセーフ球出入口９の上部を通じて球切り部５２内へ導入されると、そのセーフ球は上ガイド部５２ａによって後下方へ誘導されて回転中の球切りカム５６の両球受部５６ａのうち、上方へ旋回した球受部５６ａによって受止められ、その球受部５６ａによって賞品球払い出し検出スイッチ５５側へ旋回移送されて旋回途中で賞品球払い出し検出スイッチ５５の触動片５４ａを押圧し、賞品球払い出し検出スイッチ５５がＯＮとなり、賞品球払い出し起動信号が発信されて払い出しモータ２５が起動され、球送り部材２７が所定数の賞品球の送り出しに必要な時間だけ回転駆動される。
【００９２】
　セーフ球を受止めた球切りカム５６の球受部５６ａが上方の受止め位置から約９０°旋回してセーフ球が賞品球払い出し検出スイッチ５５の下方へ移送されると、そのセーフ球が球受部５６ａから放出されて下ガイド部５２ｃによって前下方へ誘導され、セーフ球出入口９の下部から転がり出て収納ケース１外へ排出される。
【００９３】
　セーフ球が連続的に発生して１群のセーフ球がセーフ球出入口９の上部前側で本体枠Ｈ側の通路壁によって受止められ、セーフ球出入口９の上部前側に集合して待機している状態では先づ、セーフ球出入口９の上部を通り抜けた最先端のセーフ球が球切りカム５６の一方の球受部５６ａ上へ転落してその球受部５６ａによって移送され、最先端のセーフ球がセーフ球出入口９の下部を通じて排出されてから、他方の球受部５６ａが上方へ旋回して次続するセーフ球が他方の球受部５６ａ上へ転落し、その球受部５６ａによって移送されて賞品球払い出し検出スイッチ５５の触動片５５ａを押圧後、セーフ球出入口９を通じて排出され、同様にして各セーフ球が１個づつ順次球切りカム５６によって球切りされてセーフ球出入口９の下部を通じて収納ケース１外へ排出され、各セーフ球の移送毎に賞品球払い出し起動信号が発信されて記憶される。
【００９４】
　ユニットベース３１のセット板３３の前面には球払い出しユニット２０によって送り出された賞品球が賞品球流路等の賞品球貯留部８１（図２２参照）に一定量以上充満して賞品球が球貯留部に過剰貯留されたときに満タン検出信号を発信して賞品球の払い出し禁止状態を出現させる球払い出し禁止スイッチ５８が、カバー板３３の前面に凸設されて球払い出し禁止スイッチ５８の貫通孔内に圧挿された１対の突起を介して取付けられている。
【００９５】
　カバー板３３の中央部付近には図２２に示すように賞品球払い出し禁止スイッチ５８の内方に隣設されて内外方向への水平移動可能で上下方向への移動不能に支持された係動部材５９が水平姿勢で設置されている。
【００９６】
　係動部材５９の外端には前方へ突出されて球払い出し禁止スイッチ５８の押ボタン５８ａの押圧が可能な押圧片５９ａが形成され、係動部材５９の内端には前方へ突出された受動片５９ｂが形成されている。
【００９７】
　パチンコ機の本体枠Ｈの裏側下部に配設されて球払い出しユニット２０によって送り出されて誘導樋８２によって誘導された賞品球が貯留される賞品球貯留部８１の近傍には上端部に嵌挿された支軸７２ａによって収納ケース１側およびその反対側への傾動可能に支持された満タン検知部材７２が設置されている。
【００９８】
　満タン検知部材７２は一定量以上の賞品球が賞品球貯留部８１に貯留されて過剰貯留状態となったときに過剰貯留された賞品球によって押動されて収納ケース１側へ傾動し、前記賞品球貯留部に貯留された賞品球が一定量以下に減少して満タン検知部材７２に対する押動作用が除去されたときに復帰傾動して垂直姿勢に変換される。
【００９９】
　満タン検知部材７２と係動部材５９との間には本体枠Ｈの裏側下部に設置されたガイド部材７４によって内外方向へのスライド可能で上下方向への移動不能に支持され、満タン検知部材７２の動きを係動部材５９に伝達する連繋部材７５が設置されている。この連繋部材７５は満タン検知部材７２によって押動されて外方へ移動した後で、球払い出し禁止スイッチ５８の押ボタン５８ａの付勢力によって内方へ復帰移動するが、押ボタン５８ａの付勢力が不足する場合には連繋部材７５を内方へ付勢するスプリング等の付勢部材を設けてもよい。
【０１００】
　連繋部材７５には内端が満タン検知部材７２の下端に対置された水平な水平部７５ａと、この水平部７５ａの外端に連接された垂立部７５ｂと、この垂立部７５ｂの上端に連接されて係動部材５９側へ突出された押圧部７５ｃとが形成されている。
【０１０１】
　球払い出し禁止スイッチ５８は払い出し制御装置Ａを本体枠Ｈに組付けることによって満タン検知部材７２に係動部材５９および連繋部材７５を介して連繋され、払い出し制御装置Ａを本体枠Ｈから取外すことによって満タン検知部材７２から分離される。
【０１０２】
　賞品球が賞品球貯留部８１に過剰貯留されて満タン検知部材７２が収納ケース１側へ傾動すると、連繋部材７５が満タン検知部材７２によって収納ケース１側へ押動されかつ係動部材５９が連繋部材７５によって球払い出し禁止スイッチ５８側へ押動され、球払い出し禁止スイッチ５８の押ボタン５８ａが係動部材５９によって押圧されて球払い出し禁止スイッチ５８がＯＮとなる。
【０１０３】
　球払い出し禁止スイッチ５８がＯＮとなって賞品球の過剰貯留が検出されると、払い出し起動モータ５４が電源断状態となって払い出し起動モータ５４が駆動を停止し、球払い出しユニット２０の球送り部材２７による払い出し動作が禁止されて球払い出し禁止状態が出現する。
【０１０４】
　賞品球の過剰貯留状態が解消されると、満タン検知部材７２が反収納ケース側へ復帰傾動し、連繋部材７５および係動部材５９が内方へ復帰移動して球払い出し禁止スイッチ５８の押ボタン５８ａが解放され、球払い出し禁止スイッチ５８がＯＦＦとなって球払い出し禁止状態が解消される。
【０１０５】
　また、球払い出し禁止スイッチ５８がＯＮとなって賞品球の過剰貯留が検出されたときに賞品球払い出し検出スイッチ５４を電源断状態にしてセーフ球の検出を不能にし、球払い出し禁止状態を出現させるようにしてもよい。
【０１０６】
　収納ケース１の開口部の中央部付近および下部には図１、図１７に示すように球払い出し起動ユニット３０の後側に隣設された制御基板ユニット７７が設置されている。
【０１０７】
　制御基板ユニット７７の基板ケース７８は透明合成樹脂材で浅箱状に成形されて収納ケース１の下部の後側に重ね合わされ、この基板ケース７８の底板７８ａの外端縁の前面には図２０、図２１に示すように底板７８ａの上部から下部にわたって開口された縦長状の開口部７８ｄを全長にわたってカバーした状態で突設されて断面形状がほぼＬ形状に形成され、リード線束を保持するリード線保持部７８ｃが連接され、基板ケース７８の下板７８ｂの下面には下部が内方へ湾曲した形状を有し、リード線を挿通保持するリード線挿通部７８ｅと、基板ケース７８を収納ケース１に締結するねじが挿通される１対のねじ挿通部７８ｆと、収納ケース１の下壁板１ｂの前端縁に突設された掛止縁に掛脱可能に掛止された掛合部７８ｇとが連接されている。
【０１０８】
　基板ケース７８の開口部には球払い出しに関連する諸動作をコントロールする制御回路を備え、縦長の方形板状に形成されて基板収納ケース７１にねじ止めされた払い出し制御基板７９が設置され、この払い出し制御基板７９の制御回路には払い出し制御装置Ａ内の各電気部品および払い出し制御装置Ａ外の回路基板に接続されたリード線がコネクタを介して接続される。
【０１０９】
　基板ケース７８内には両側縁および下端縁が払い出し制御基板７１の前面に当接された状態で払い出し制御基板７９の前側に間隙を隔てて重ね合わされて払い出し制御基板７９とともに基板ケース７８にねじ止めされ、払い出し制御基板７９の制御回路を静電気ノイズおよび電磁ノイズから防護する金属製のシールド板８０が密嵌状に装入されている。
【０１１０】
　収納ケース１には透明合成樹脂材によって、上板７６ａと下板７６ｂと左右の側板７６ｃと後板７６ｄとを有する箱形状に成形され、球払い出しユニット２０、球払い出し起動ユニット３０および制御基板ユニット７７を覆蓋した状態で収納ケース１の中央部から下端にわたって収納ケース１の後側に設置されたユニットカバー７６が分離可能に結合されている。
【０１１１】
　ユニットカバー７６の上板７６ａの前端縁には図２４に示すように球補給ユニット１０のユニットベース１１の蓋板１１ａの前側に重ね合わされて蓋板１１ａによって係止された係止縁７６ｅと、ユニットベース１１のガイド壁１１ｇの下端部の両側で蓋板１１ａの前側に重ね合わされて球払い出しユニット２０の後導入口２３ｂの後側開口縁付近に設置された１対のガイド縁７６ｆとが突出形成されている。
【０１１２】
　ユニットカバー７６の後板７６ｄの上下部にはそれぞれ横１列に配列されてユニットカバー７６内の熱をユニットカバー７６外へ放散させる複数個の放熱孔７６ｇが払い出しモータ２５および払い出し起動モータ５４に対向してそれぞれ貫設されている。
【０１１３】
　続いて、上記した構成をもつ実施例の作用と効果を説明する。
　本例では球払い出しユニット２０のユニットベース２１の上下端には厚さが下方へ漸増する上面取り部６５と、厚さが下方へ漸減する下面取り部６６とを形成し、球払い出しユニット２０の下方に隣接して設置された球払い出し起動ユニット３０の内部流路入口８７，８８の流路壁には厚さが下方へ漸増する下面取り部６５と、切込み幅がパチンコ球の流動方向へ漸減するように切込まれて球払い出しユニット２０から球払い出し起動ユニットへ送り込まれるパチンコ球の流動方向を規正するＶカット部３８を形成してある。
【０１１４】
　このため、球補給ユニット１０から球払い出しユニット２０へ送り込まれるパチンコ球を球払い出しユニット２０のユニットベース２１の上端に形成した上面取り部６５によって誘導して球払い出しユニット２０の前後導入口２２ａ，２３ａ内へ円滑に導入することができ、また、球払い出しユニット２０から球払い出し起動ユニット３０へ送り込まれるパチンコ球を球払い出しユニット２０のユニットベース２１の下端に形成した下面取り部６６および球払い出し起動ユニット３０のユニットベース３１の上端に形成した面取り部３７によって誘導して球払い出し起動ユニット３０の内部流路入口８７，８８内へ円滑に導入することができ、球補給ユニット１０から球払い出しユニット２０へのパチンコ球の受渡し時、および、球払い出しユニット２０から球払い出し起動ユニット３０へのパチンコ球の受渡し時に球噛みや球詰りが起生する不具合を解消することができる。
【０１１５】
　また、球払い出しユニット２０から球払い出し起動ユニット３０へ送り込まれたパチンコ球のうち、適正方向から後方へずれて送り込まれたパチンコ球の流動方向を、Ｖカット部３８によって前後方向および内外方向へ修正して規正し、そのパチンコ球を球払い出し起動ユニット３０の内部流路入口８７，８８内へ的確かつ円滑に導入することができ、球払い出しユニット２０の内部流路出口の流路壁と、球払い出し起動ユニット３０の内部流路入口８７，８８の流路壁との間に段差があっても、球払い出しユニット２０から球払い出し起動ユニット３０へのパチンコ球の送り込みを円滑化してパチンコ球の送り込み時のパチンコ球の相互干渉や球噛みおよび球詰りを無くすことができる。
【図面の簡単な説明】
【０１１６】
【図１】本発明の１実施例を示す払い出し制御装置の側面図である。
【図２】球補給ユニットと球払い出しユニットと球払い出し起動ユニットとの収納状態を示す背面図である。
【図３】収納ケースの背面図である。
【図４】球補給ユニットの正面図である。
【図５】図４のＸ１−Ｘ１線断面図である。
【図６】図４のＸ２−Ｘ２線断面図である。
【図７】球払い出しユニットの背面図である。
【図８】図７のＸ３−Ｘ３線断面図である。
【図９】球払い出しユニットのユニットベースの背面図である。
【図１０】図９のＸ４−Ｘ４線断面図である。
【図１１】図９のＸ５−Ｘ５線断面図である。
【図１２】球払い出しユニットのセット板の背面図である。
【図１３】同じく、中板の背面図である。
【図１４】球送り部材による球受渡し動作を説明する説明図である。
【図１５】球払い出し起動ユニットの一部破断背面図である。
【図１６】球払い出し起動ユニットの正面図である。
【図１７】球払い出し起動ユニットおよび制御基板ユニットの縦断面図である。
【図１８】振り分け弁駆動機構の正面図である。
【図１９】球払い出し起動機構の正面図である。
【図２０】制御基板ユニットの横断面図である。
【図２１】制御基板ユニットの分解斜視図である。
【図２２】球払い出し禁止スイッチ作動機構の正面図である。
【図２３】図２２のＸ６−Ｘ６線断面図である。
【図２４】ユニットカバーの背面図である。
【図２５】図２４のＸ７−Ｘ７線断面図である。
【符号の説明】
【０１１７】
　１０　球補給ユニット
　２０　球払い出しユニット
　３０　球払い出し起動ユニット
　３７，６５，６６　面取り部
　３８　Ｖカット部
　８７，８８　内部流路入口